(57)【特許請求の範囲】
【請求項１】
音声、映像、リアルタイムテキスト情報、付加情報等がＤＶＤオーディオ規格に基づいてディジタル符号化され、パケット単位で多重化された多重符号化ストリームを再生するＤＶＤオーディオ再生装置であって、
前記多重符号化ストリームは複数のパックを含み、前記複数のパックの各々は少なくとも１つのパケットを含み、前記パケットはパケットヘッダと符号化データを含み、前記符号化データは、パケット音声符号化データ、パケット映像符号化データ、及びパケットリアルタイムテキスト情報符号化データのいずれかを含むものであり、
前記リアルタイムテキスト情報符号化データを含むパケットから、リアルタイムテキスト情報符号化データと、前記リアルタイムテキスト情報の、言語コード，文字セットコード，テキストデータ長，リピートフラグ，及び最大表示時間を含む再生制御情報と、パケットヘッダ内にある表示時間情報とを分離する入力処理部と、
前記入力処理部で分離された前記再生制御情報及び前記表示時間情報に基づいてリアルタイムテキスト情報符号化データをデコード処理するリアルタイムテキスト情報復号部とを備え、
前記入力処理部は、前記入力処理部で分離された前記リアルタイムテキスト情報符号化データと、前記リアルタイムテキスト情報の再生制御情報と、前記リアルタイムテキスト情報の表示時間情報とを１つのリアルタイムテキスト情報の再生単位として記憶装置に格納し、
前記リアルタイムテキスト情報復号部は、前記記憶装置に格納されたリアルタイムテキスト情報符号化データをデコード処理する、
ことを特徴とする、ＤＶＤオーディオ再生装置。
【請求項２】
請求項１記載のＤＶＤオーディオ再生装置において、
前記映像符号化データのパケットヘッダ内にある前記表示時間情報の時間までに、前記映像符号化データをデコードするビデオ復号部と、
前記符号化音声データのパケットヘッダ内にある前記表示時間情報の時間までに、前記符号化音声データをデコードするオーディオ復号部とを備え、
前記リアルタイムテキスト情報復号部は、前記記憶装置に格納された前記表示時間情報に基づき、前記記憶装置に格納された前記リアルタイムテキスト情報符号化データに含まれるテキスト符号化データを、前記再生制御情報に含まれる前記リアルタイムテキスト情報のテキストデータ長、及び外部文字コード表を用いてデコード処理し、
前記ビデオ復号部でデコード処理された映像データと前記リアルタイムテキスト情報復号部でデコード処理されたリアルタイムテキスト情報データを混合器にて合成処理した後、前記オーディオ復号部でデコード処理された音声データと共に前記表示時間情報の時間に外部に出力する、
ことを特徴とする、ＤＶＤオーディオ再生装置。
【請求項３】
請求項２記載のＤＶＤオーディオ再生装置において、
前記リアルタイムテキスト情報符号化データをデコード処理する際に用いる前記外部文字コード表を、特定の国、または地域で使用される言語の文字コード表に変更する手段を備えた、
ことを特徴とする、ＤＶＤオーディオ再生装置。
【請求項４】
請求項２記載のＤＶＤオーディオ再生装置において、
前記リアルタイムテキスト情報復号部がデコード処理に用いる前記外部文字コード表を格納する外部文字コード表格納部と、
複数の外部文字コード表を蓄積する外部文字コード表記憶装置と、
前記外部文字コード表記憶装置から、前記リアルタイムテキスト情報復号部が前記リアルタイムテキスト情報をデコード処理する際に用いる前記外部文字コード表のみを外部文字コード表格納部にダウンロードする制御手段と、を備えた、
ことを特徴とする、ＤＶＤオーディオ再生装置。
【請求項５】
請求項２記載のＤＶＤオーディオ再生装置において、
前記リアルタイムテキスト情報復号部がデコード処理に用いる前記外部文字コード表を格納する外部文字コード表格納部と、
複数の外部文字コード表を蓄積する外部文字コード表記憶装置と、
前記外部文字コード表記憶装置から、前記リアルタイムテキスト情報復号部が前記リアルタイムテキスト情報をデコード処理する際に用いる前記外部文字コード表のみを外部文字コード表格納部に１度だけダウンロードする制御手段と、を備え、
前記入力処理部は、前記制御手段がダウンロードした前記外部文字コード表以外の文字コードを用いたリアルタイムテキスト情報の前記リアルタイムテキスト情報符号化データと、前記リアルタイムテキスト情報の再生制御情報と、前記リアルタイムテキスト情報の表示時間情報とを前記記憶装置に格納しない、
ことを特徴とする、ＤＶＤオーディオ再生装置。
【請求項６】
請求項２記載のＤＶＤオーディオ再生装置において、
前記リアルタイムテキスト情報符号化データを映像出力する際の画面表示位置、表示の大きさ、表示の色、及び表示の有無を予め設定するためのリアルタイムテキスト情報データ表示設定メモリを備え、
前記リアルタイムテキスト情報復号部は、前記リアルタイムテキスト情報データ表示設定メモリに設定された前記画面表示位置、前記表示の大きさ、前記表示の色、及び前記表示の有無の設定に従って、前記リアルタイムテキスト情報符号化データを映像信号にデコード処理する、
ことを特徴とする、ＤＶＤオーディオ再生装置。
【請求項７】
請求項６記載のＤＶＤオーディオ再生装置において、
前記リアルタイムテキスト情報データ表示設定メモリは、前記リアルタイムテキスト情報符号化データを映像出力する際の前記画面表示位置、前記表示の大きさ、前記表示の色、及び前記表示の有無、を設定する初期値を備える、
ことを特徴とする、ＤＶＤオーディオ再生装置。
【請求項８】
請求項６記載のＤＶＤオーディオ再生装置において、
前記リアルタイムテキスト情報復号部は、前記映像符号化データの画像出力フォーマットに対応して、前記リアルタイムテキスト情報データの表示方法を変更するよう前記リアルタイムテキスト情報符号化データをデコード処理する、
ことを特徴とする、ＤＶＤオーディオ再生装置。
【請求項９】
請求項６記載のＤＶＤオーディオ再生装置において、
前記リアルタイムテキスト情報復号部は、前記映像符号化データの画像出力フォーマットが１６：９の映像信号を表示部が４：３の画面に出力する際に、前記リアルタイムテキスト情報データを、画面上部または画面下部の暗部に出力するよう前記リアルタイムテキスト情報符号化データをデータコード処理する、
ことを特徴とする、ＤＶＤオーディオ再生装置。
【請求項１０】
請求項６記載のＤＶＤオーディオ再生装置において、
前記リアルタイムテキスト情報復号部は、前記映像符号化データの画像出力フォーマットが４：３の映像信号を表示部が１６：９の画面に出力する際に、前記リアルタイムテキスト情報データが縦書きを可とする言語に対して、前記リアルタイムテキスト情報データを、画面左部または画面右部の暗部に縦書きで出力するようリアルタイムテキスト情報符号化データをデコード処理する、
ことを特徴とする、ＤＶＤオーディオ再生装置。
【請求項１１】
請求項６記載のＤＶＤオーディオ再生装置において、
前記リアルタイムテキスト情報復号部は、前記映像符号化データの画像出力がＶｉｓｕａｌ Ｅｆｆｅｃｔによりフェードインまたはフェードアウトして出力される時、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報符号化データをデコード処理する、
ことを特徴とする、ＤＶＤオーディオ再生装置。
【請求項１２】
請求項６記載のＤＶＤオーディオ再生装置において、
前記リアルタイムテキスト情報データ表示設定メモリの設定値を変更する指示が入力される外部入力部を備える、
ことを特徴とする、ＤＶＤオーディオ再生装置。
【請求項１３】
請求項１２記載のＤＶＤオーディオ再生装置において、
前記外部入力部は、外部からの入力に応じて、前記リアルタイムテキスト情報データを、縦書きまたは横書きに映像表示するよう、前記リアルタイムテキスト情報データ表示設定メモリの設定値を変更する、
ことを特徴とする、ＤＶＤオーディオ再生装置。
【請求項１４】
請求項１２記載のＤＶＤオーディオ再生装置において、
前記外部入力部は、前記映像符号化データの画像出力フォーマットが１６：９の映像信号を４：３の画面に出力する際に、外部からの入力に応じて、前記リアルタイムテキスト情報データを、画面上部または画面下部の暗部に出力するよう、前記リアルタイムテキスト情報データ表示設定メモリの設定値を変更する、
ことを特徴とする、ＤＶＤオーディオ再生装置。
【請求項１５】
請求項１２記載のＤＶＤオーディオ再生装置において、
前記外部入力部は、前記映像符号化データの画像出力フォーマットが４：３の映像信号を１６：９の画面に出力する際に、前記リアルタイムテキスト情報データが縦書きを可とする言語に対して、外部からの入力に応じて、前記リアルタイムテキスト情報データを画面左部または画面右部の暗部に縦書きで出力するよう、前記リアルタイムテキスト情報データ表示設定メモリの設定値を変更する、
ことを特徴とする、ＤＶＤオーディオ再生装置。
【請求項１６】
請求項１２記載のＤＶＤオーディオ再生装置において、
前記外部入力部は、前記映像符号化データの画像出力がＶｉｓｕａｌ Ｅｆｆｅｃｔによりフェードインまたはフェードアウトして出力される時、外部からの入力に応じて、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するように、前記リアルタイムテキスト情報データ表示設定メモリの設定値を変更する、
ことを特徴とする、ＤＶＤオーディオ再生装置。
【請求項１７】
請求項１記載のＤＶＤオーディオ再生装置において、
前記入力処理部は、前記記憶装置が前記入力処理部で分離されたリアルタイムテキスト情報で満たされた時、前記入力処理部で分離された新しいリアルタイムテキスト情報を前記記憶装置に既に格納されている古いリアルタイムテキスト情報に上書きして前記記憶装置に格納する、
ことを特徴とする、ＤＶＤオーディオ再生装置。
【請求項１８】
請求項２記載のＤＶＤオーディオ再生装置において、
前記入力処理部で分離された前記リアルタイムテキスト情報の前記再生制御情報または前記リアルタイムテキスト情報符号化データにエラーが含まれている時、前記リアルタイムテキスト情報を表示しないようにするエラー処理部を備えた、
ことを特徴とする、ＤＶＤオーディオ再生装置。
【請求項１９】
請求項２記載のＤＶＤオーディオ再生装置において、
前記入力処理部で分離された前記リアルタイムテキスト情報の前記再生制御情報または前記リアルタイムテキスト情報符号化データにエラーが含まれている時、リアルタイムテキスト情報にエラーがあったことを映像で表示させるエラー処理部を備えた、
ことを特徴とする、ＤＶＤオーディオ再生装置。
【請求項２０】
請求項２記載のＤＶＤオーディオ再生装置において、
前記入力処理部で分離された前記リアルタイムテキスト情報の前記表示時間情報にエラーが含まれている時、リアルタイムテキスト情報を表示しないようにするエラー処理部を備えた、
ことを特徴とする、ＤＶＤオーディオ再生装置。
【請求項２１】
請求項６記載のＤＶＤオーディオ再生装置において、
前記リアルタイムテキスト情報表示設定メモリに、前記入力処理部で分離された前記リアルタイムテキスト情報の前記再生制御情報または前記リアルタイムテキスト情報符号化データにエラーが含まれている時、映像出力においてリアルタイムテキスト情報にエラーがあったことを表示させる、または表示させない、の設定を行なう指示が入力される外部入力部を備える、
ことを特徴とする、ＤＶＤオーディオ再生装置。
【請求項２２】
音声、映像、リアルタイムテキスト情報、付加情報等がＤＶＤオーディオ規格に基づいてディジタル符号化され、パケット単位で多重化された多重符号化ストリームを再生するＤＶＤオーディオ再生方法であって、
前記多重符号化ストリームは複数のパックを含み、前記複数のパックの各々は少なくとも１つのパケットを含み、前記パケットはパケットヘッダとパケット符号化データを含み、前記パケット符号化データは、パケット音声符号化データ、パケット映像符号化データ、及びパケットリアルタイムテキスト情報符号化データのいずれかを含むものであり、
前記リアルタイムテキスト情報符号化データを含むパケットから、リアルタイムテキスト情報符号化データと、前記リアルタイムテキスト情報の、言語コード，文字セットコード，テキストデータ長，リピートフラグ，及び最大表示時間を含む再生制御情報と、パケットヘッダ内にある表示時間情報とを分離する入力処理ステップと、
前記入力処理ステップで分離された前記再生制御情報及び前記表示時間情報に基づいてリアルタイムテキスト情報符号化データをデコード処理するリアルタイムテキスト情報復号ステップとを含み、
前記入力処理ステップは、前記入力処理ステップで分離された前記リアルタイムテキスト情報符号化データと、前記リアルタイムテキスト情報の再生制御情報と、前記リアルタイムテキスト情報の表示時間情報とを１つのリアルタイムテキスト情報の再生単位として記憶装置に記憶するデータ記憶ステップを含み、
前記リアルタイムテキスト情報復号ステップは、前記データ記憶ステップで記憶装置に記憶されたリアルタイムテキスト情報符号化データをデコード処理する、
ことを特徴とする、ＤＶＤオーディオ再生方法。
【請求項２３】
請求項２２記載のＤＶＤオーディオ再生方法において、
前記データ記憶ステップで記憶された前記表示時間情報に基づき、前記データ記憶ステップで記憶された前記リアルタイムテキスト情報符号化データに含まれるテキスト符号化データを、前記再生制御情報に含まれる前記リアルタイムテキスト情報のテキストデータ長、及び外部文字コード表を用いてデコード処理する前記リアルタイムテキスト情報復号ステップと、
前記映像符号化データのパケットヘッダ内にある前記表示時間情報の時間までに、前記映像符号化データをデコードするビデオ復号ステップと、
前記符号化音声データのパケットヘッダ内にある前記表示時間情報の時間までに、前記符号化音声データをデコードするオーディオ復号ステップと、
前記ビデオ復号ステップでデコード処理された映像データと前記リアルタイムテキスト情報復号ステップでデコード処理されたリアルタイムテキスト情報データを混合器にて合成処理した後、前記オーディオ復号ステップでデコード処理された音声データと共に前記表示時間情報の時間に外部出力するステップとを含む、
ことを特徴とする、ＤＶＤオーディオ再生方法。
【請求項２４】
請求項２３記載のＤＶＤオーディオ再生方法において、
前記リアルタイムテキスト情報復号ステップに用いる前記外部文字コード表を、特定の国、または地域で使用される言語の文字コード表に変更するステップを含む、
ことを特徴とする、ＤＶＤオーディオ再生方法。
【請求項２５】
請求項２３記載のＤＶＤオーディオ再生方法において、
複数の外部文字コード表を蓄積する外部文字コード表記憶装置から、前記リアルタイムテキスト情報をデコード処理する際に用いる前記外部文字コード表のみを前記リアルタイムテキスト情報復号ステップにおけるデコード処理に用いる前記外部文字コード表を格納する外部文字コード表格納部にダウンロードするダウンロードステップを含む、
ことを特徴とする、ＤＶＤオーディオ再生方法。
【請求項２６】
請求項２３記載のＤＶＤオーディオ再生方法において、
複数の外部文字コード表を蓄積する外部文字コード表記憶装置から、前記リアルタイムテキスト情報をデコード処理する際に用いる前記外部文字コード表のみを前記リアルタイムテキスト情報復号ステップにおけるデコード処理に用いる前記外部文字コード表を格納する外部文字コード表格納部に１度だけダウンロードするダウンロードステップを含み、
前記入力処理ステップの前記データ記憶ステップでは、前記ダウンロードステップでダウンロードした前記外部文字コード表以外の文字コードを用いたリアルタイムテキスト情報の前記リアルタイムテキスト情報符号化データと、前記リアルタイムテキスト情報の再生制御情報と、前記リアルタイムテキスト情報の表示時間情報とを前記記憶装置に格納しない、
ことを特徴とする、ＤＶＤオーディオ再生方法。
【請求項２７】
請求項２３記載のＤＶＤオーディオ再生方法において、
前記リアルタイムテキスト情報符号化データを映像出力する際の画面表示位置、表示の大きさ、表示の色、及び表示の有無を設定するためのリアルタイムテキスト情報データ表示設定ステップを含み、
前記リアルタイムテキスト情報復号ステップは、前記リアルタイムテキスト情報データ表示設定ステップで設定された前記画面表示位置、前記表示の大きさ、前記表示の色、及び前記表示の有無、の表示の設定に従って、前記リアルタイムテキスト情報符号化データを映像信号にデコード処理する、
ことを特徴とする、ＤＶＤオーディオ再生方法。
【請求項２８】
請求項２７記載のＤＶＤオーディオ再生方法において、
前記リアルタイムテキスト情報データ表示設定ステップにおいて、前記リアルタイムテキスト情報符号化データを映像出力する際の前記画面表示位置、前記表示の大きさ、前記表示の色、及び前記表示の有無、の表示の設定値を、予め有する初期値とする、
ことを特徴とする、ＤＶＤオーディオ再生方法。
【請求項２９】
請求項２７記載のＤＶＤオーディオ再生方法において、
前記リアルタイムテキスト情報復号ステップは、前記映像符号化データの画像出力フォーマットに対応して前記リアルタイムテキスト情報データの表示方法を変更するよう前記リアルタイムテキスト情報符号化データをデコード処理する、
ことを特徴とする、ＤＶＤオーディオ再生方法。
【請求項３０】
請求項２７記載のＤＶＤオーディオ再生方法において、
前記リアルタイムテキスト情報復号ステップは、前記映像符号化データの画像出力フォーマットが１６：９の映像信号を表示部が４：３の画面に出力する際に、前記リアルタイムテキスト情報データを、画面上部または画面下部の暗部に出力するよう前記リアルタイムテキスト情報符号化データをデコード処理する、
ことを特徴とする、ＤＶＤオーディオ再生方法。
【請求項３１】
請求項２７記載のＤＶＤオーディオ再生方法において、
前記リアルタイムテキスト情報復号ステップは、前記映像符号化データの画像出力フォーマットが４：３の映像信号を表示部が１６：９の画面に出力する際に、前記リアルタイムテキスト情報データが縦書きを可とする言語に対して、前記リアルタイムテキスト情報データを、画面左部または画面右部の暗部に縦書きで出力するよう前記リアルタイムテキスト情報符号化データをデコード処理する、
ことを特徴とする、ＤＶＤオーディオ再生方法。
【請求項３２】
請求項２７記載のＤＶＤオーディオ再生方法において、
前記リアルタイムテキスト情報復号ステップは、前記映像符号化データの画像出力がＶｉｓｕａｌ Ｅｆｆｅｃｔによりフェードインまたはフェードアウトして出力される時、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報符号化データをデコード処理する、
ことを特徴とする、ＤＶＤオーディオ再生方法。
【請求項３３】
請求項２７記載のＤＶＤオーディオ再生方法において、
前記リアルタイムテキスト情報データ表示設定ステップは、外部からの入力に応じて、リアルタイムテキスト情報データの表示の設定値を変更する外部入力ステップを含む、
ことを特徴とする、ＤＶＤオーディオ再生方法。
【請求項３４】
請求項３３記載のＤＶＤオーディオ再生方法において、
前記外部入力ステップは、外部からの入力に応じて、前記リアルタイムテキスト情報データを、縦書きまたは横書きに映像表示するようリアルタイムテキスト情報データの表示の設定値を変更する、
ことを特徴とする、ＤＶＤオーディオ再生方法。
【請求項３５】
請求項３３記載のＤＶＤオーディオ再生方法において、
前記外部入力ステップは、前記映像符号化データの画像出力フォーマットが１６：９の映像信号を４：３の画面に出力する際に、外部からの入力に応じて、前記リアルタイムテキスト情報データを、画面上部または画面下部の暗部に出力するようリアルタイムテキスト情報データの表示の設定値を変更する、
ことを特徴とする、ＤＶＤオーディオ再生方法。
【請求項３６】
請求項３３記載のＤＶＤオーディオ再生方法において、
前記外部入力ステップは、前記映像符号化データの画像出力フォーマットが４：３の映像信号を１６：９の画面に出力する際に、外部からの入力に応じて、前記リアルタイムテキスト情報データが縦書きを可とする言語に対して、前記リアルタイムテキスト情報データを、画面左部または画面右部の暗部に縦書きで出力するようリアルタイムテキスト情報データの表示の設定値を変更する、
ことを特徴とする、ＤＶＤオーディオ再生方法。
【請求項３７】
請求項３３記載のＤＶＤオーディオ再生方法において、
前記外部入力ステップは、前記映像符号化データの画像出力がＶｉｓｕａｌ Ｅｆｆｅｃｔによりフェードインまたはフェードアウトして出力される時、外部からの入力に応じて、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報データの表示の設定値を変更する、
ことを特徴とする、ＤＶＤオーディオ再生方法。
【請求項３８】
請求項２２記載のＤＶＤオーディオ再生方法において、
前記入力処理ステップは、前記データ記憶ステップで記憶された記憶装置が前記入力処理ステップで分離されたリアルタイムテキスト情報で満たされた時、前記入力処理ステップで分離された新しいリアルタイムテキスト情報を前記記憶装置に既に格納された古いリアルタイムテキスト情報に上書きして前記記憶装置に格納する、
ことを特徴とする、ＤＶＤオーディオ再生方法。
【請求項３９】
請求項２３記載のＤＶＤオーディオ再生方法において、
前記入力処理ステップで分離された前記リアルタイムテキスト情報の前記再生制御情報または前記リアルタイムテキスト情報符号化データにエラーが含まれている時、前記リアルタイムテキスト情報を表示しないようにするエラー処理ステップを含む、
ことを特徴とする、ＤＶＤオーディオ再生方法。
【請求項４０】
請求項２３記載のＤＶＤオーディオ再生方法において、
前記入力処理ステップで分離された前記リアルタイムテキスト情報の前記再生制御情報または前記リアルタイムテキスト情報符号化データにエラーが含まれている時、リアルタイムテキスト情報にエラーがあったことを映像で表示させるエラー処理ステップを含む、
ことを特徴とする、ＤＶＤオーディオ再生方法。
【請求項４１】
請求項２３記載のＤＶＤオーディオ再生方法において、
前記入力処理ステップで分離された前記リアルタイムテキスト情報の前記表示時間情報にエラーが含まれている時、リアルタイムテキスト情報を表示しないようにするエラー処理ステップを含む、
ことを特徴とする、ＤＶＤオーディオ再生方法。
【請求項４２】
請求項２７記載のＤＶＤオーディオ再生方法において、
前記リアルタイムテキスト情報表示設定ステップは、前記入力処理ステップで分離された前記リアルタイムテキスト情報の前記再生制御情報または前記リアルタイムテキスト情報符号化データにエラーが含まれている場合、映像出力においてリアルタイムテキスト情報にエラーがあったことを表示させる、または表示させない、の設定を外部からの入力に応じて行う外部入力ステップを含む、
ことを特徴とする、ＤＶＤオーディオ再生方法。
【発明の詳細な説明】
【０００１】
【発明の属する技術分野】
本発明は、ＤＶＤ（Digital Versatile Disc）オーディオ再生装置、及びＤＶＤオーディオ再生方法に関し、特に、従来とは異なる方法でＲＴＩ（Real time Text Information）を再生するＤＶＤオーディオ再生装置、及びＤＶＤオーディオ再生方法に関する。
【０００２】
【従来の技術】
近年、ＤＶＤに見られるように画像信号、音声信号、及び字幕情報等の付加情報信号をディジタル符号化、多重化したメディアが急速に普及しつつある。このように多重化されたディジタル符号化を行う規格が、ＤＶＤフォーラムにおいてＤＶＤ規格として提案されている。ＤＶＤフォーラムとはＤＶＤ規格の標準化を目的とする企業群である。ＤＶＤ規格のうち動画像信号、及びそれに伴う音声信号や付加情報信号をデジタル符号化するための規格として、ＤＶＤビデオ規格が規定された。しかし、ＤＶＤビデオ規格では音声の劣化を生じるため、さらに高品質なデジタル音声規格としてＤＶＤオーディオ規格が提唱されている。このＤＶＤオーディオ規格に基づくＤＶＤオーディオディスクには、オーディオ情報が曲目ごとにトラックとして記録され、各オーディオ、トラックは音声データとリアルタイムテキスト情報（Real time Text Information；以下、ＲＴＩと称する）から構成される。
【０００３】
ＲＴＩとはテキストデータを文字コードのままＤＶＤオーディオディスクに記録するＤＶＤオーディオ規格固有の規格である。ＲＴＩ規格を用いた記録方法は従来のＤＶＤビデオ規格の副映像、例えばカラオケの字幕、にみられるような文字をビットマップ形式で記録する方法とは異なり、記録容量をはるかに削減できるという特徴がある。しかしながらＲＴＩデータ再生機能を有する（この機能を有するかどうかはオプショナルである）ＤＶＤオーディオ再生装置は、音声データの再生に同期して各データの表示時間情報に基づいて、ＲＴＩデータ、映像データを同期再生する機構を設ける必要がある。
【０００４】
図２に、ＲＴＩデータの表示例を示す。図２（ａ）は、シングルバイト文字を使ったときの１例である。ＤＶＤオーディオ規格によるとこの場合３０文字×４行の表示が可能となる。また、図２（ｂ）は、ダブルバイト文字を使ったときの１例である。この場合は１５文字×２行の表示が可能となる。このＲＴＩデータを再生すると、ＲＴＩデータと画像データを合成した画像がディスプレイに表示される。
【０００５】
図３はＲＴＩデータの再生時において入力されるビットストリーム（以下、多重符号化ストリームという）の説明図である。図３（ａ）に、ディジタル符号化された画像や音声、付加情報などの個別ストリームの、多重化の基本単位であるパック、及びパケットの構造を示す。
【０００６】
パック３０１は先頭に付加されるパックヘッダー３０７ａとパケット３０２から構成されている。また、パケット３０２の先頭にはパケットの先頭を示す同期信号であるパケットスタートコード前置コード３０３、音声、画像のパケットの区別をするパケット識別子３０４（MPEG規格におけるstream_id）、パケット長情報３０５、画像、音声の同期再生情報（Presentation Time Stamp；以下、ＰＴＳと称する）３０６を含むパケットヘッダ３０７ｂが付加される。図３（ａ）にはパック３０１が１個のパケット３０２を含む例を示すが、パック３０１は複数のパケット３０２を含み得る。図３（ｂ）にＲＴＩパックの詳しい構成を示す。ＲＴＩパックは既に説明したようにパックヘッダ３０７ａ、パケットスタートコード前置コード３０３、パケット識別子３０４、パケット長３０５、ＰＴＳ３０６、及びＲＴＩデータ３０７ｃから構成される。また、ＲＴＩデータ３０７ｃは符号化データ３０８、及び再生制御情報３０９から構成されている。再生制御情報３０９は言語コード３１０ａ、文字セットコード３１０ｂ、テキスト長３１０ｃ、リピートフラグ３１０ｄ、及び最大表示時間３１０ｅを含んでいる。言語コード３１０ａはＤＶＤビデオ規格で規定される言語コードである。文字セットコード３１０ｂは文字情報が全角文字を含むか否かを、つまり、文字情報がシングルバイト文字だけかダブルバイト文字を含むかを表す。テキストデータ長３１０ｃは文字情報のデータ長を、リピートフラグ３１０ｄはＲＴＩデータが前回のと同じかどうかのフラグを、最大表示時間３１０ｅはＲＴＩデータの表示時間の最大時間をそれぞれ表す。また、１つのＲＴＩパケット３０２には最大８個のＲＴＩデータ３０７ｃを含むことができる。
【０００７】
次に、従来のＲＴＩデータのデコード方法について図４を用いて説明する。
ＲＴＩデータはＲＴＩパケットの符号化データ３０８と再生制御情報３０９により対応した言語に文字コードをビットマップデータ化され、ＰＴＳ情報に基づいて表示、再生するようにデコード処理が行われる。
【０００８】
図４は従来のＤＶＤオーディオ再生装置の構成図である。図において、４０１は入力処理部、４０２はバッファメモリ、４０３はＲＴＩバッファ、４０４はビデオバッファ、４０５はオーディオバッファ、４０６はＲＴＩ復号部、４０７はビデオ復号部、４０８はオーディオ復号部、４０９はＲＴＩ出力バッファ、４１０はビデオ出力バッファ、４１１はオーディオ出力バッファ、４１２は混合器である。
【０００９】
以下に、従来のＤＶＤオーディオ再生装置の動作について説明する。
ＤＶＤオーディオディスクから読み出されたストリームデータは、エラー訂正、及び復調後、入力処理部４０１に転送され、ＲＴＩ、映像、音声データに分離後、それぞれのバッファメモリ４０２（ＲＴＩバッファ４０３、ビデオバッファ４０４、オーディオバッファ４０５）に格納される。バッファメモリに格納後、所望の時間に映像、音声とともに同期再生されるように、ＲＴＩ、映像、音声データがそれぞれの復号部（ＲＴＩ復号部４０６、ビデオ復号部４０７、オーディオ復号部４０８）にてデコード処理され、それぞれの出力バッファ（ＲＴＩ出力バッファ４０９、ビデオ出力バッファ４１０、オーディオ出力バッファ４１１）に一時格納される。その後、出力バッファに格納された映像とＲＴＩデータが混合器４１２にて混合された後、映像信号、及び音声信号がそれぞれ出力される。
【００１０】
【発明が解決しようとする課題】
しかしながら、従来のＤＶＤオーディオ再生装置、及びＤＶＤオーディオ再生方法においては以下のような問題点があった。
ＤＶＤオーディオ規格において提案されている従来のモデルでは、音声、及び映像を再生する際に、ＲＴＩデータを同期再生するための具体的なデコード方法がなく、単に入力されてきた多重符号化ストリームを個々のパック、パケットデータに分離後、バッファメモリに一時保存し、復号部にてデコード処理を行い、映像信号および音声信号として出力するのみであった。つまり、ＲＴＩデータをデコードするためのバッファメモリの使用方法や、ＲＴＩバッファメモリを用いた具体的なデコード方法が提供されていないために、ＲＴＩデータを映像、及び音声信号と同期する方法がなかった。
【００１１】
また、ＲＴＩデータをＲＴＩバッファメモリに格納していくと、ＲＴＩバッファメモリの容量を超えてしまい、ＲＴＩデータのデコード処理を行うことができなくなってしまっていた。
また、ＲＴＩデータをデコード処理する際、ＲＴＩデータの言語コードに対応する文字コード表を全ての言語コードに対して備える必要があり、外部文字コードを格納するメモリ容量が膨大となってしまう。
【００１２】
また、対応する言語コードを用意出来なかった時のデコード処理方法がなく、ＤＶＤオーディオ再生時に、ハングアップしてしまう可能性があった。
【００１３】
また、ＲＴＩデータのＰＴＳや再生制御情報およびＲＴＩデータに何らかのエラーが含まれていた時の処理方法がなかった。
また、ＤＶＤオーディオ規格によるとＲＴＩデータの表示位置に関する規定がないため、図２に示される文字情報を画面のどの位置に表示すればいいのか、また、どのような大きさで表示すればいいのかは再生装置により、ユーザーの使用勝手のいい位置に表示することができないという課題があった。
【００１４】
また、ＲＴＩデータを表示することで主映像と重なり、主映像とＲＴＩデータがともに見えにくくなってしまうという課題もあった。
【００１５】
本発明は、上記のような問題を解決するためになされたものであり、ＤＶＤオーディオ規格におけるＲＴＩデータを効率的に再生するＤＶＤオーディオ再生装置、及び再生方法を提供することを目的とする。
【００１６】
また、ＲＴＩデータに何らかのエラーが含まれた時にハングアップせず、かつ、ＲＴＩデータの表示位置、及び表示の色等をユーザーの設定どおりに表示することを可能にするＤＶＤオーディオ再生装置、及びＤＶＤオーディオ再生方法を提供することを目的とする。
【００１７】
【課題を解決するための手段】
上記の課題を解決するために、本発明（請求項１）に係るＤＶＤオーディオ再生装置は、音声、映像、リアルタイムテキスト情報、付加情報等がＤＶＤオーディオ規格に基づいてディジタル符号化され、パケット単位で多重化された多重符号化ストリームを再生するＤＶＤオーディオ再生装置であって、前記多重符号化ストリームは複数のパックを含み、前記複数のパックの各々は少なくとも１つのパケットを含み、前記パケットはパケットヘッダと符号化データを含み、前記符号化データは、パケット音声符号化データ、パケット映像符号化データ、及びパケットリアルタイムテキスト情報符号化データのいずれかを含むものであり、前記リアルタイムテキスト情報符号化データを含むパケットから、リアルタイムテキスト情報符号化データと、前記リアルタイムテキスト情報の、言語コード，文字セットコード，テキストデータ長，リピートフラグ，及び最大表示時間を含む再生制御情報と、パケットヘッダ内にある表示時間情報とを分離する入力処理部と、前記入力処理部で分離された前記再生制御情報及び前記表示時間情報に基づいてリアルタイムテキスト情報符号化データをデコード処理するリアルタイムテキスト情報復号部とを備え、前記入力処理部は、前記入力処理部で分離された前記リアルタイムテキスト情報符号化データと、前記リアルタイムテキスト情報の再生制御情報と、前記リアルタイムテキスト情報の表示時間情報とを１つのリアルタイムテキスト情報の再生単位として記憶装置に格納し、前記リアルタイムテキスト情報復号部は、前記記憶装置に格納されたリアルタイムテキスト情報符号化データをデコード処理するものである。
【００１９】
また、本発明（請求項２）に係るＤＶＤオーディオ再生装置は、請求項１記載のＤＶＤオーディオ再生装置において、前記映像符号化データのパケットヘッダ内にある前記表示時間情報の時間までに、前記映像符号化データをデコードするビデオ復号部と、前記符号化音声データのパケットヘッダ内にある前記表示時間情報の時間までに、前記符号化音声データをデコードするオーディオ復号部とを備え、前記リアルタイムテキスト情報復号部は、前記記憶装置に格納された前記表示時間情報に基づき、前記記憶装置に格納された前記リアルタイムテキスト情報符号化データに含まれるテキスト符号化データを、前記再生制御情報に含まれる前記リアルタイムテキスト情報のテキストデータ長、及び外部文字コード表を用いてデコード処理し、前記ビデオ復号部でデコード処理された映像データと前記リアルタイムテキスト情報復号部でデコード処理されたリアルタイムテキスト情報データを混合器にて合成処理した後、前記オーディオ復号部でデコード処理された音声データと共に前記表示時間情報の時間に外部に出力するものである。
【００２０】
また、本発明（請求項３）に係るＤＶＤオーディオ再生装置は、請求項２記載のＤＶＤオーディオ再生装置において、前記リアルタイムテキスト情報符号化データをデコード処理する際に用いる前記外部文字コード表を、特定の国、または地域で使用される言語の文字コード表に変更する手段を備えたものである。
【００２１】
また、本発明（請求項４）に係るＤＶＤオーディオ再生装置は、請求項２記載のＤＶＤオーディオ再生装置において、前記リアルタイムテキスト情報復号部がデコード処理に用いる前記外部文字コード表を格納する外部文字コード表格納部と、複数の外部文字コード表を蓄積する外部文字コード表記憶装置と、前記外部文字コード表記憶装置から、前記リアルタイムテキスト情報復号部が前記リアルタイムテキスト情報をデコード処理する際に用いる前記外部文字コード表のみを外部文字コード表格納部にダウンロードする制御手段と、を備えたものである。
【００２２】
また、本発明（請求項５）に係るＤＶＤオーディオ再生装置は、請求項２記載のＤＶＤオーディオ再生装置において、前記リアルタイムテキスト情報復号部がデコード処理に用いる前記外部文字コード表を格納する外部文字コード表格納部と、複数の外部文字コード表を蓄積する外部文字コード表記憶装置と、前記外部文字コード表記憶装置から、前記リアルタイムテキスト情報復号部が前記リアルタイムテキスト情報をデコード処理する際に用いる前記外部文字コード表のみを外部文字コード表格納部に１度だけダウンロードする制御手段と、を備え、前記入力処理部は、前記制御手段がダウンロードした前記外部文字コード表以外の文字コードを用いたリアルタイムテキスト情報の前記リアルタイムテキスト情報符号化データと、前記リアルタイムテキスト情報の再生制御情報と、前記リアルタイムテキスト情報の表示時間情報とを前記記憶装置に格納しないものである。
【００２３】
また、本発明（請求項６）に係るＤＶＤオーディオ再生装置は、請求項２記載のＤＶＤオーディオ再生装置において、前記リアルタイムテキスト情報符号化データを映像出力する際の画面表示位置、表示の大きさ、表示の色、及び表示の有無を予め設定するためのリアルタイムテキスト情報データ表示設定メモリを備え、前記リアルタイムテキスト情報復号部は、前記リアルタイムテキスト情報データ表示設定メモリに設定された前記画面表示位置、前記表示の大きさ、前記表示の色、及び前記表示の有無の設定に従って、前記リアルタイムテキスト情報符号化データを映像信号にデコード処理するものである。
【００２４】
また、本発明（請求項７）に係るＤＶＤオーディオ再生装置は、請求項６記載のＤＶＤオーディオ再生装置において、前記リアルタイムテキスト情報データ表示設定メモリは、前記リアルタイムテキスト情報符号化データを映像出力する際の前記画面表示位置、前記表示の大きさ、前記表示の色、及び前記表示の有無、を設定する初期値を備えるものである。
【００２５】
また、本発明（請求項８）に係るＤＶＤオーディオ再生装置は、請求項６記載のＤＶＤオーディオ再生装置において、前記リアルタイムテキスト情報復号部は、前記映像符号化データの画像出力フォーマットに対応して、前記リアルタイムテキスト情報データの表示方法を変更するよう前記リアルタイムテキスト情報符号化データをデコード処理するものである。
【００２６】
また、本発明（請求項９）に係るＤＶＤオーディオ再生装置は、請求項６記載のＤＶＤオーディオ再生装置において、前記リアルタイムテキスト情報復号部は、前記映像符号化データの画像出力フォーマットが１６：９の映像信号を表示部が４：３の画面に出力する際に、前記リアルタイムテキスト情報データを、画面上部または画面下部の暗部に出力するよう前記リアルタイムテキスト情報符号化データをデータコード処理するものである。
【００２７】
また、本発明（請求項１０）に係るＤＶＤオーディオ再生装置は、請求項６記載のＤＶＤオーディオ再生装置において、前記リアルタイムテキスト情報復号部は、前記映像符号化データの画像出力フォーマットが４：３の映像信号を表示部が１６：９の画面に出力する際に、前記リアルタイムテキスト情報データが縦書きを可とする言語に対して、前記リアルタイムテキスト情報データを、画面左部または画面右部の暗部に縦書きで出力するようリアルタイムテキスト情報符号化データをデコード処理するものである。
【００２８】
また、本発明（請求項１１）に係るＤＶＤオーディオ再生装置は、請求項６記載のＤＶＤオーディオ再生装置において、前記リアルタイムテキスト情報復号部は、前記映像符号化データの画像出力がＶｉｓｕａｌ Ｅｆｆｅｃｔによりフェードインまたはフェードアウトして出力される時、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報符号化データをデコード処理するものである。
【００２９】
また、本発明（請求項１２）に係るＤＶＤオーディオ再生装置は、請求項６記載のＤＶＤオーディオ再生装置において、前記リアルタイムテキスト情報データ表示設定メモリの設定値を変更する指示が入力される外部入力部を備えるものである。
【００３０】
また、本発明（請求項１３）に係るＤＶＤオーディオ再生装置は、請求項１２記載のＤＶＤオーディオ再生装置において、前記外部入力部は、外部からの入力に応じて、前記リアルタイムテキスト情報データを、縦書きまたは横書きに映像表示するよう、前記リアルタイムテキスト情報データ表示設定メモリの設定値を変更するものである。
【００３１】
また、本発明（請求項１４）に係るＤＶＤオーディオ再生装置は、請求項１２記載のＤＶＤオーディオ再生装置において、前記外部入力部は、前記映像符号化データの画像出力フォーマットが１６：９の映像信号を４：３の画面に出力する際に、外部からの入力に応じて、前記リアルタイムテキスト情報データを、画面上部または画面下部の暗部に出力するよう、前記リアルタイムテキスト情報データ表示設定メモリの設定値を変更するものである。
【００３２】
また、本発明（請求項１５）に係るＤＶＤオーディオ再生装置は、請求項１２記載のＤＶＤオーディオ再生装置において、前記外部入力部は、前記映像符号化データの画像出力フォーマットが４：３の映像信号を１６：９の画面に出力する際に、前記リアルタイムテキスト情報データが縦書きを可とする言語に対して、外部からの入力に応じて、前記リアルタイムテキスト情報データを画面左部または画面右部の暗部に縦書きで出力するよう、前記リアルタイムテキスト情報データ表示設定メモリの設定値を変更するものである。
【００３３】
また、本発明（請求項１６）に係るＤＶＤオーディオ再生装置は、請求項１２記載のＤＶＤオーディオ再生装置において、前記外部入力部は、前記映像符号化データの画像出力がＶｉｓｕａｌ Ｅｆｆｅｃｔによりフェードインまたはフェードアウトして出力される時、外部からの入力に応じて、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するように、前記リアルタイムテキスト情報データ表示設定メモリの設定値を変更するものである。
【００３４】
また、本発明（請求項１７）に係るＤＶＤオーディオ再生装置は、請求項１記載のＤＶＤオーディオ再生装置において、前記入力処理部は、前記記憶装置が前記入力処理部で分離されたリアルタイムテキスト情報で満たされた時、前記入力処理部で分離された新しいリアルタイムテキスト情報を前記記憶装置に既に格納されている古いリアルタイムテキスト情報に上書きして前記記憶装置に格納するものである。
【００３５】
また、本発明（請求項１８）に係るＤＶＤオーディオ再生装置は、請求項２記載のＤＶＤオーディオ再生装置において、前記入力処理部で分離された前記リアルタイムテキスト情報の前記再生制御情報または前記リアルタイムテキスト情報符号化データにエラーが含まれている時、前記リアルタイムテキスト情報を表示しないようにするエラー処理部を備えたものである。
【００３６】
また、本発明（請求項１９）に係るＤＶＤオーディオ再生装置は、請求項２記載のＤＶＤオーディオ再生装置において、前記入力処理部で分離された前記リアルタイムテキスト情報の前記再生制御情報または前記リアルタイムテキスト情報符号化データにエラーが含まれている時、リアルタイムテキスト情報にエラーがあったことを映像で表示させるエラー処理部を備えたものである。
【００３７】
また、本発明（請求項２０）に係るＤＶＤオーディオ再生装置は、請求項２記載のＤＶＤオーディオ再生装置において、前記入力処理部で分離された前記リアルタイムテキスト情報の前記表示時間情報にエラーが含まれている時、リアルタイムテキスト情報を表示しないようにするエラー処理部を備えたものである。
【００３８】
また、本発明（請求項２１）に係るＤＶＤオーディオ再生装置は、請求項６記載のＤＶＤオーディオ再生装置において、前記リアルタイムテキスト情報表示設定メモリに、前記入力処理部で分離された前記リアルタイムテキスト情報の前記再生制御情報または前記リアルタイムテキスト情報符号化データにエラーが含まれている時、映像出力においてリアルタイムテキスト情報にエラーがあったことを表示させる、または表示させない、の設定を行なう指示が入力される外部入力部を備えるものである。
【００３９】
また、本発明（請求項２２）に係るＤＶＤオーディオ再生方法は、音声、映像、リアルタイムテキスト情報、付加情報等がＤＶＤオーディオ規格に基づいてディジタル符号化され、パケット単位で多重化された多重符号化ストリームを再生するＤＶＤオーディオ再生方法であって、前記多重符号化ストリームは複数のパックを含み、前記複数のパックの各々は少なくとも１つのパケットを含み、前記パケットはパケットヘッダとパケット符号化データを含み、前記パケット符号化データは、パケット音声符号化データ、パケット映像符号化データ、及びパケットリアルタイムテキスト情報符号化データのいずれかを含むものであり、前記リアルタイムテキスト情報符号化データを含むパケットから、リアルタイムテキスト情報符号化データと、前記リアルタイムテキスト情報の、言語コード，文字セットコード，テキストデータ長，リピートフラグ，及び最大表示時間を含む再生制御情報と、パケットヘッダ内にある表示時間情報とを分離する入力処理ステップと、前記入力処理ステップで分離された前記再生制御情報及び前記表示時間情報に基づいてリアルタイムテキスト情報符号化データをデコード処理するリアルタイムテキスト情報復号ステップとを含み、前記入力処理ステップは、前記入力処理ステップで分離された前記リアルタイムテキスト情報符号化データと、前記リアルタイムテキスト情報の再生制御情報と、前記リアルタイムテキスト情報の表示時間情報とを１つのリアルタイムテキスト情報の再生単位として記憶装置に記憶するデータ記憶ステップを含み、前記リアルタイムテキスト情報復号ステップは、前記データ記憶ステップで記憶装置に記憶されたリアルタイムテキスト情報符号化データをデコード処理するものである。
【００４１】
また、本発明（請求項２３）に係るＤＶＤオーディオ再生方法は、請求項２２記載のＤＶＤオーディオ再生方法において、前記データ記憶ステップで記憶された前記表示時間情報に基づき、前記データ記憶ステップで記憶された前記リアルタイムテキスト情報符号化データに含まれるテキスト符号化データを、前記再生制御情報に含まれる前記リアルタイムテキスト情報のテキストデータ長、及び外部文字コード表を用いてデコード処理する前記リアルタイムテキスト情報復号ステップと、前記映像符号化データのパケットヘッダ内にある前記表示時間情報の時間までに、前記映像符号化データをデコードするビデオ復号ステップと、前記符号化音声データのパケットヘッダ内にある前記表示時間情報の時間までに、前記符号化音声データをデコードするオーディオ復号ステップと、前記ビデオ復号ステップでデコード処理された映像データと前記リアルタイムテキスト情報復号ステップでデコード処理されたリアルタイムテキスト情報データを混合器にて合成処理した後、前記オーディオ復号ステップでデコード処理された音声データと共に前記表示時間情報の時間に外部出力するステップとを含むものである。
【００４２】
また、本発明（請求項２４）に係るＤＶＤオーディオ再生方法は、請求項２３記載のＤＶＤオーディオ再生方法において、前記リアルタイムテキスト情報復号ステップに用いる前記外部文字コード表を、特定の国、または地域で使用される言語の文字コード表に変更するステップを含むものである。
【００４３】
また、本発明（請求項２５）に係るＤＶＤオーディオ再生方法は、請求項２３記載のＤＶＤオーディオ再生方法において、複数の外部文字コード表を蓄積する外部文字コード表記憶装置から、前記リアルタイムテキスト情報をデコード処理する際に用いる前記外部文字コード表のみを前記リアルタイムテキスト情報復号ステップにおけるデコード処理に用いる前記外部文字コード表を格納する外部文字コード表格納部にダウンロードするダウンロードステップを含むものである。
【００４４】
また、本発明（請求項２６）に係るＤＶＤオーディオ再生方法は、請求項２３記載のＤＶＤオーディオ再生方法において、複数の外部文字コード表を蓄積する外部文字コード表記憶装置から、前記リアルタイムテキスト情報をデコード処理する際に用いる前記外部文字コード表のみを前記リアルタイムテキスト情報復号ステップにおけるデコード処理に用いる前記外部文字コード表を格納する外部文字コード表格納部に１度だけダウンロードするダウンロードステップを含み、前記入力処理ステップの前記データ記憶ステップでは、前記ダウンロードステップでダウンロードした前記外部文字コード表以外の文字コードを用いたリアルタイムテキスト情報の前記リアルタイムテキスト情報符号化データと、前記リアルタイムテキスト情報の再生制御情報と、前記リアルタイムテキスト情報の表示時間情報とを前記記憶装置に格納しないものである。
【００４５】
また、本発明（請求項２７）に係るＤＶＤオーディオ再生方法は、請求項２３記載のＤＶＤオーディオ再生方法において、前記リアルタイムテキスト情報符号化データを映像出力する際の画面表示位置、表示の大きさ、表示の色、及び表示の有無を設定するためのリアルタイムテキスト情報データ表示設定ステップを含み、前記リアルタイムテキスト情報復号ステップは、前記リアルタイムテキスト情報データ表示設定ステップで設定された前記画面表示位置、前記表示の大きさ、前記表示の色、及び前記表示の有無、の表示の設定に従って、前記リアルタイムテキスト情報符号化データを映像信号にデコード処理するものである。
【００４６】
また、本発明（請求項２８）に係るＤＶＤオーディオ再生方法は、請求項２７記載のＤＶＤオーディオ再生方法において、前記リアルタイムテキスト情報データ表示設定ステップにおいて、前記リアルタイムテキスト情報符号化データを映像出力する際の前記画面表示位置、前記表示の大きさ、前記表示の色、及び前記表示の有無、の表示の設定値を、予め有する初期値とするものである。
【００４７】
また、本発明（請求項２９）に係るＤＶＤオーディオ再生方法は、請求項２７記載のＤＶＤオーディオ再生方法において、前記リアルタイムテキスト情報復号ステップは、前記映像符号化データの画像出力フォーマットに対応して前記リアルタイムテキスト情報データの表示方法を変更するよう前記リアルタイムテキスト情報符号化データをデコード処理するものである。
【００４８】
また、本発明（請求項３０）に係るＤＶＤオーディオ再生方法は、請求項２７記載のＤＶＤオーディオ再生方法において、前記リアルタイムテキスト情報復号ステップは、前記映像符号化データの画像出力フォーマットが１６：９の映像信号を表示部が４：３の画面に出力する際に、前記リアルタイムテキスト情報データを、画面上部または画面下部の暗部に出力するよう前記リアルタイムテキスト情報符号化データをデコード処理するものである。
【００４９】
また、本発明（請求項３１）に係るＤＶＤオーディオ再生方法は、請求項２７記載のＤＶＤオーディオ再生方法において、前記リアルタイムテキスト情報復号ステップは、前記映像符号化データの画像出力フォーマットが４：３の映像信号を表示部が１６：９の画面に出力する際に、前記リアルタイムテキスト情報データが縦書きを可とする言語に対して、前記リアルタイムテキスト情報データを、画面左部または画面右部の暗部に縦書きで出力するよう前記リアルタイムテキスト情報符号化データをデコード処理するものである。
【００５０】
また、本発明（請求項３２）に係るＤＶＤオーディオ再生方法は、請求項２７記載のＤＶＤオーディオ再生方法において、前記リアルタイムテキスト情報復号ステップは、前記映像符号化データの画像出力がＶｉｓｕａｌ Ｅｆｆｅｃｔによりフェードインまたはフェードアウトして出力される時、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報符号化データをデコード処理するものである。
【００５１】
また、本発明（請求項３３）に係るＤＶＤオーディオ再生方法は、請求項２７記載のＤＶＤオーディオ再生方法において、前記リアルタイムテキスト情報データ表示設定ステップは、外部からの入力に応じて、リアルタイムテキスト情報データの表示の設定値を変更する外部入力ステップを含むものである。
【００５２】
また、本発明（請求項３４）に係るＤＶＤオーディオ再生方法は、請求項３３記載のＤＶＤオーディオ再生方法において、前記外部入力ステップは、外部からの入力に応じて、前記リアルタイムテキスト情報データを、縦書きまたは横書きに映像表示するようリアルタイムテキスト情報データの表示の設定値を変更するものである。
【００５３】
また、本発明（請求項３５）に係るＤＶＤオーディオ再生方法は、請求項３３記載のＤＶＤオーディオ再生方法において、前記外部入力ステップは、前記映像符号化データの画像出力フォーマットが１６：９の映像信号を４：３の画面に出力する際に、外部からの入力に応じて、前記リアルタイムテキスト情報データを、画面上部または画面下部の暗部に出力するようリアルタイムテキスト情報データの表示の設定値を変更するものである。
【００５４】
また、本発明（請求項３６）に係るＤＶＤオーディオ再生方法は、請求項３３記載のＤＶＤオーディオ再生方法において、前記外部入力ステップは、前記映像符号化データの画像出力フォーマットが４：３の映像信号を１６：９の画面に出力する際に、外部からの入力に応じて、前記リアルタイムテキスト情報データが縦書きを可とする言語に対して、前記リアルタイムテキスト情報データを、画面左部または画面右部の暗部に縦書きで出力するようリアルタイムテキスト情報データの表示の設定値を変更するものである。
【００５５】
また、本発明（請求項３７）に係るＤＶＤオーディオ再生方法は、請求項３３記載のＤＶＤオーディオ再生方法において、前記外部入力ステップは、前記映像符号化データの画像出力がＶｉｓｕａｌ Ｅｆｆｅｃｔによりフェードインまたはフェードアウトして出力される時、外部からの入力に応じて、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報データの表示の設定値を変更するものである。
【００５６】
また、本発明（請求項３８）に係るＤＶＤオーディオ再生方法は、請求項２２記載のＤＶＤオーディオ再生方法において、前記入力処理ステップは、前記データ記憶ステップで記憶された記憶装置が前記入力処理ステップで分離されたリアルタイムテキスト情報で満たされた時、前記入力処理ステップで分離された新しいリアルタイムテキスト情報を前記記憶装置に既に格納された古いリアルタイムテキスト情報に上書きして前記記憶装置に格納するものである。
【００５７】
また、本発明（請求項３９）に係るＤＶＤオーディオ再生方法は、請求項２３記載のＤＶＤオーディオ再生方法において、前記入力処理ステップで分離された前記リアルタイムテキスト情報の前記再生制御情報または前記リアルタイムテキスト情報符号化データにエラーが含まれている時、前記リアルタイムテキスト情報を表示しないようにするエラー処理ステップを含むものである。
【００５８】
また、本発明（請求項４０）に係るＤＶＤオーディオ再生方法は、請求項２３記載のＤＶＤオーディオ再生方法において、前記入力処理ステップで分離された前記リアルタイムテキスト情報の前記再生制御情報または前記リアルタイムテキスト情報符号化データにエラーが含まれている時、リアルタイムテキスト情報にエラーがあったことを映像で表示させるエラー処理ステップを含むものである。
【００５９】
また、本発明（請求項４１）に係るＤＶＤオーディオ再生方法は、請求項２３記載のＤＶＤオーディオ再生方法において、前記入力処理ステップで分離された前記リアルタイムテキスト情報の前記表示時間情報にエラーが含まれている時、リアルタイムテキスト情報を表示しないようにするエラー処理ステップを含むものである。
【００６０】
また、本発明（請求項４２）に係るＤＶＤオーディオ再生方法は、請求項２７記載のＤＶＤオーディオ再生方法において、前記リアルタイムテキスト情報表示設定ステップは、前記入力処理ステップで分離された前記リアルタイムテキスト情報の前記再生制御情報または前記リアルタイムテキスト情報符号化データにエラーが含まれている場合、映像出力においてリアルタイムテキスト情報にエラーがあったことを表示させる、または表示させない、の設定を外部からの入力に応じて行う外部入力ステップを含むものである。
【００６１】
【発明の実施の形態】
（実施の形態１）
以下、本発明の実施の形態1によるＤＶＤオーディオ再生装置を図について説明する。
図１は、本発明の実施の形態１によるＤＶＤオーディオ再生装置の構成を示す図である。  図１において、１０１はＤＶＤオーディオディスクから読み出され、エラー訂正、復調された多重符号化ストリームが入力され、音声データ，映像データ，ＲＴＩデータ等を各パック、パケットヘッダを用いて、各パケット単位に分離する処理を行う入力処理部、１０２は分離された音声データ，映像データ，ＲＴＩデータを一旦格納するバッファメモリ、１０３はＲＴＩバッファ、１０４はビデオバッファ、１０５はオーディオバッファである。１０６はＲＴＩバッファに格納されたデータのＰＴＳ、１０７はＲＴＩバッファに格納されたデータの再生制御情報、１０８はＲＴＩバッファに格納されたデータのＲＴＩデータである。１０９はＲＴＩデータである文字コードを画面情報に変換する表である外部文字コード表を格納する外部文字コード表格納部、１１０は複数の外部文字コード表を記憶する外部文字コード表記憶装置、１１１はＲＴＩ復号部、１１２はビデオ復号部、１１３はオーディオ復号部、１１４はＲＴＩ出力バッファ、１１５はビデオ出力バッファ、１１６はオーディオ出力バッファである。１１７はＲＴＩ出力バッファ１１４からの出力とビデオ出力バッファ１１５からの出力を混合する混合器、１１８は全体制御部、１１９はＲＴＩデータ表示設定メモリ、１２０は外部入力部である。
【００６２】
また、図３（ａ）は音声、映像、ＲＴＩパック、パケットの多重符号化ストリームを示す図、図３（ｂ）はＲＴＩパック、パケットの詳細な多重符号化ストリームを示す図である。
【００６３】
次に、本実施の形態１によるＤＶＤオーディオ再生装置の全体的な動作について説明する。なお、ＲＴＩデータのデコード処理、ＲＴＩデータの表示処理、及びＲＴＩデータ表示設定値の変更処理に関する動作については、それぞれ詳細に後述する。
【００６４】
入力処理部１０１は、ＤＶＤオーディオディスクから読み出され、エラー訂正、復調された多重符号化ストリームから、音声データ，映像データ，ＲＴＩデータ等を、各パック、パケットヘッダを用いて、各パケット単位に分離する処理を行う。分離された音声データ，映像データ，ＲＴＩデータは、バッファメモリ１０２（ＲＴＩバッファ１０３，ビデオバッファ１０４，オーディオバッファ１０５）に一旦格納される。
【００６５】
ここで、入力処理部１０１は、図３（ｂ）に示すＲＴＩパケット３０２からＲＴＩデータ３０８、ＰＴＳ３０６、再生制御情報３０９だけを分離し、ＲＴＩデータの１再生単位としてＲＴＩバッファメモリ１０３に格納する。図５はＲＴＩバッファメモリ１０３に格納されるデータの構成を示す図である。ＲＴＩバッファメモリ１０３にはＰＴＳ５０１、再生制御情報５０２、及びＲＴＩデータ５０３を１再生単位としてＲＴＩデータを格納し、ＲＴＩデータはこの再生単位でデコード処理が行われる。
【００６６】
全体制御部１１８は、ＲＴＩバッファメモリ１０３に格納されたＰＴＳ１０６が示す時間までにＲＴＩデータ１０８をＲＴＩ復号部１１１に転送する。この時、全体制御部１１８からは、デコード処理に必要な再生制御情報１０７がＲＴＩ復号部１１１に転送される。また、同時にＲＴＩデータの画面表示設定用の情報が、ＲＴＩデータ表示設定メモリ１１９から信号ＳＩＧ１０６を介して全体制御部１１８に転送され、信号ＳＩＧ１０１を介してＲＴＩ復号部１１１に転送される。
【００６７】
ＲＴＩデータ表示設定メモリ１１９には、ＲＴＩデータ出力を実行するか否か、ＲＴＩデータの画面上の表示位置、ＲＴＩデータを画面上に表示するときの表示の大きさや色等、ＲＴＩデータの表示に関する情報が設定される。ここで、全体制御部１１８が、これらのＲＴＩデータの表示に関する所定の設定値を予め初期値として保持しているものとしてもよい。このようにした場合は、メモリクリア等でＲＴＩデータ表示設定メモリ１１９にＲＴＩデータの表示設定がない時や、ＲＴＩデータ表示設定メモリ１１９そのものがないときにでもＲＴＩデータのデコード処理を中断させることなく実行することができる。
【００６８】
ＲＴＩデータ表示設定に関しては、上述のようにＲＴＩデータ表示設定メモリ１１９を設けることで、ＲＴＩデータの表示設定を容易に変更することができるようになるが、ＲＴＩデータはＲＴＩデータ表示設定をもとにデコード処理がなされるので、ＲＴＩデータの表示方法を変更したいときにはその設定値を変更する手段が必要となる。そこで本発明の実施の形態1によるＤＶＤオーディオ再生装置では、映像データに応じてＲＴＩデータの表示方法を変更する。具体的には、ビデオバッファ１０４からビデオ復号部１１２に送られてきたビデオパケット（多重符号化ストリームのうちビデオパケットが入力処理部１０１で分離され、ビデオバッファ１０４に格納されているパケット）がどのような映像であるかをビデオ復号部１１２において判別し、信号ＳＩＧ１０２を通して判別結果を全体制御部１１８に転送する。また、映像データの判別はビデオバッファ１０４内にて行い、全体制御部１１８に転送するようにしてもよい。転送されてきた判別結果を元に、全体制御部１１８は信号ＳＩＧ１０６を介してＲＴＩデータ表示設定メモリ１１９のＲＴＩデータの表示設定を変更する。変更されたＲＴＩデータ表示設定メモリ１１９のＲＴＩデータの表示設定は、信号ＳＩＧ１０６、全体制御部１１８、信号ＳＩＧ１０１を介してＲＴＩ復号部１１１に転送されるようにしてもよい。また、変更結果を全体制御部１１８が直接ＲＴＩ復号部１１１に信号ＳＩＧ１０１を介して転送してもよい。
【００６９】
映像を判定してＲＴＩデータを表示する場合の一例として、１６：９の映像で４：３の画面に出力する場合（通常、ＤＶＤオーディオ再生装置には画面出力時の出力フォーマットの設定があり、ここではその設定を元に画面の大きさを判定すればよい）、画面上部または下部の暗部にＲＴＩデータを表示する設定にすることができる。この場合のＲＴＩデータの表示例を図８（ｂ）に示す。また、別の例として、４：３の映像で１６：９の画面に出力する場合、画面左部または右部の暗部にＲＴＩデータを表示する設定にすることができる。この場合のＲＴＩデータの表示例を図８（ｃ）に示す。図８（ｂ）、及び図８（ｃ）中の「ＤＶＤオーディオ再生中。」がＲＴＩデータの表示例である。さらに別の例として映像がＶｉｓｕａｌ Ｅｆｆｅｃｔにて、いわゆるフェードイン、フェードアウトして画面表示する設定の場合、ＲＴＩデータを映像出力と同じようにフェードイン、フェードアウトして出力する、もしくはＶｉｓｕａｌ Ｅｆｆｅｃｔしないで出力する設定にすることができる。
【００７０】
また、ユーザーがＲＴＩデータの表示位置を変更したいときは、リモコンやＤＶＤ再生装置等に備わる外部入力部１２０から、ＲＴＩデータ表示設定メモリ１１９の値を変更することができる。外部入力信号ＳＩＧ１０７は全体制御部１１８に入力され、信号ＳＩＧ１０６を介してＲＴＩデータ表示設定メモリ１１９の値を変更することができる。なお、表示位置の設定の例としては、日本語や中国語のように縦書き表示が可能な言語の場合は、通常、横書きのＲＴＩデータを縦書きで画面の左右に表示させることも可能である。この場合のＲＴＩデータ表示例を図８（ａ）に示す。また、４：３の画面に１６：９の映像を表示させる場合には、主映像表示部以外の暗部に表示できるようにすることも可能である。この場合のＲＴＩデータ表示例を図８（ｂ）に示す。逆に１６：９の画面に４：３の映像を表示させる場合にも主映像表示部以外の暗部に表示できるようにすることも可能である。この場合のＲＴＩデータ表示例を図８（ｃ）に示す。
【００７１】
また、ＲＴＩデータ設定メモリ１１９にＲＴＩデータ表示設定を行うことで、ＲＴＩデータの表示位置を上述した画面の上下左右以外のあらゆる所にＲＴＩデータを表示したり、ＲＴＩデータの文字の大きさ、色もユーザーの自由に設定したりすることができる。さらに、Ｖｉｓｕａｌ  Ｅｆｆｅｃｔの設定が有効の時には、ＲＴＩデータの表示をＶｉｓｕａｌ  Ｅｆｆｅｃｔの設定と同様にフェードイン、フェードアウトするか、またはＶｉｓｕａｌ  Ｅｆｆｅｃｔの設定と異なりＲＴＩデータを表示し続けるようにするかのいずれかを設定することもできる。これらのＲＴＩデータ表示の設定については後に詳細に述べる。
【００７２】
ＲＴＩバッファ１０３のＲＴＩデータ１０８、再生制御情報１０７、及びＲＴＩデータ表示設定メモリ１１９の設定値がＲＴＩ復号部１１１に転送された後、再生制御情報１０７内のテキスト長３１０ｃと転送されたＲＴＩデータ１０８のデータ長が一致するかどうかを判定するために、テキスト長３１０ｃと転送されたＲＴＩデータ１０８のデータ長の情報が信号ＳＩＧ１０１を介して全体制御部１１８に転送される。両者が一致すれば、全体制御部１１８は信号ＳＩＧ１０１を介してＲＴＩ復号部１１１にＲＴＩデコード開始信号を送る。両者が一致しなければ、ＲＴＩデータ１０８またはテキスト長３１０ｃになんらかのエラーが存在するためエラー処理に移る。全体制御部１１８は信号ＳＩＧ１０１を介して、エラー発生時にはＲＴＩデータをデコードしないように、ＲＴＩ復号部１１１に指示する。これによりエラーを未然に回避することができる。また、全体制御部１１８は信号ＳＩＧ１０１もしくは信号ＳＩＧ１０２を介してＲＴＩ復号部１１１もしくはビデオ復号部１１２に、エラー発生の旨の表示用画像を作成するように指示する信号を送ることもできる。これによりエラー発生時にはＲＴＩデータにエラーがあることをユーザーに知らせることができる。また、ＲＴＩ表示設定メモリ１１９に、エラー発生時にユーザーに知らせるかどうかの設定を行うことで、エラー発生時のＲＴＩデータのデコード処理方法をユーザの好みの方法に変更することができる。
【００７３】
次に、ＲＴＩ復号部１１１に転送されたＲＴＩデータ１０８は、外部文字コード表格納部１０９から信号ＳＩＧ１０５を介して、再生制御情報１０７にある言語コード３１０ａおよび文字セットコード３１０ｂにあたるテキスト情報を取り出し、ＲＴＩ表示設定メモリ１１９に記された表示方法で画像情報に復号化処理を施し、ＲＴＩ出力バッファ１１４に転送する。外部文字コード表格納部１０９に格納されている外部文字コード表は、ＲＴＩデータである文字コードを画像情報に変換する表である。また、外部文字コード表格納部１０９はＲＴＩ復号部に内蔵しても構わない。外部文字コード表格納部１０９は、全ての国、地域の言語コードに対するテキスト画像情報を備える必要はなく、本発明のＤＶＤオーディオ再生装置が使用される国、地域で使用される言語コードに対応する文字コードのみを備えればよい。
【００７４】
また、ＲＴＩデータのデコード処理に用いる文字コード表を、ＲＴＩデータの言語コード３１０ａに応じて外部文字コード表記憶装置１１０から外部文字コード表格納部１０９にダウンロードしてもよい。この場合、ＲＴＩバッファ１０３もしくはＲＴＩ復号部１１１のＲＴＩデータの言語コード３１０ａに関する情報が、信号ＳＩＧ１０１を介して全体制御部１１８に伝達され、さらに信号ＳＩＧ１０４を介して外部文字コード表記憶装置１１０から文字コード表格納部１０９に伝達される。
【００７５】
また、１回目のＲＴＩデータに使われる文字コードの情報は、信号ＳＩＧ１０１を介してＲＴＩバッファ１０３から全体制御部１１８に送られる。全体制御部１１８は信号ＳＩＧ１０９を介して入力処理部１０１へ１回目のＲＴＩデータ以外の言語をＲＴＩバッファ１０３に格納しないように指示する。これにより１回目のＲＴＩデータに使われる文字コード表のみを文字コード表格納部１０９にダウンロードすることができ、文字コード表に用いられるメモリの使用量を削減することができる。
【００７６】
なお、入力処理部１０１において、１回目のＲＴＩデータに使われる文字コード以外のＲＴＩデータをＲＴＩバッファ１０３に格納しないようにしてもよい。このようにすることにより、ＲＴＩバッファ１０３の使用量を削減することができる。
【００７７】
次に、ＲＴＩデータのデコード処理が終了すると、デコードが終了した信号がＳＩＧ１０１を介して、全体制御部１１８に伝達される。
なお、ＲＴＩ復号部がＲＴＩ符号化データのデコード処理を行っている間、ＰＴＳ情報１０６の時間に映像や音声が外部出力できるように、ビデオバッファ１０４のデータ、及びオーディオバッファ１０５のデータはそれぞれ、ビデオ復号部１１２、及びオーディオ復号部１１３に転送されデコード処理がなされる。それぞれのデコード処理は、全体制御部１１８から信号ＳＩＧ１０２、信号ＳＩＧ１０３を介してビデオバッファ１０４、及びオーディオバッファ１０５に伝達される処理開始信号により開始される。また、各デコード処理が終了すると、各復号処理部から復号終了信号が信号ＳＩＧ１０２、信号ＳＩＧ１０３を介して全体制御部１１８に伝達される。
【００７８】
なお、映像、音声のＰＴＳ情報に基づきデコード処理がなされている間に、ＲＴＩデータがＲＴＩデータのＰＴＳ情報に基づきデコード処理されても構わない。つまり、映像符号化データのデコード処理と音声符号化データのデコード処理はＲＴＩ符号化データのデコード処理とは独立に実行されても構わない。
【００７９】
次に、ＲＴＩ出力バッファ１１４、ビデオ出力バッファ１１５、及びオーディオ出力バッファ１１６に格納された各出力信号は、全体制御部１１８にて各復号部でのデコード処理が終了したことを受けた後、ＰＴＳ情報に基づき各デコード結果を外部出力するように制御信号ＳＩＧ１０８を出力バッファに伝達し、映像はＲＴＩデータとビデオ信号が混合器１１７にて合成された後外部出力され、音声はそのまま出力される。なお、ＲＴＩデータ１０８、ビデオバッファ１０４データ、及びオーディオバッファ１０５データはＰＴＳ１０６の時間までに各復号部にてデコード処理が行われ、ＲＴＩデータのＰＴＳ１０６の時間に、同じＰＴＳをもつビデオ、オーディオの各デコード結果を外部に出力することで同期をとることができる。また、ＲＴＩバッファ１０３内のＰＴＳ１０６にエラーが含まれる場合は、ＲＴＩデータのデコード処理を行わないこととする。これにより他の映像や音声のデコード処理および外部出力を行うことができなくなることを防ぐことができる。
【００８０】
次に、本実施の形態１によるＤＶＤオーディオ再生装置におけるＲＴＩデータのデコード処理について図６を用いて説明する。
図６は、本発明の実施の形態1によるＤＶＤオーディオ再生装置におけるＲＴＩデータのデコード処理に関する動作の流れを示すフローチャートである。
【００８１】
まず、ＤＶＤオーディオディスクから読み出されエラー訂正、復調された多重符号化ストリームは入力処理部１０１に入力される(ステップＳ６０１）。入力処理部１０１では、入力された多重符号化ストリームがＲＴＩパックであるかどうかを判定する（ステップＳ６０２）。ＲＴＩパックではない場合、オーディオ復号部１１３、ビデオ復号部１１２で音声、映像データの再生処理がなされ、次の再生単位の多重符号化ストリームの処理に移る（ステップＳ６１１）。入力された多重符号化ストリームにＲＴＩパックを含む場合、ＲＴＩパックからＲＴＩデータ３０８、再生制御情報３０９、ＰＴＳ３０６を抽出し、ＲＴＩバッファメモリ１０３に転送する（ステップＳ６０３）。この時、ＲＴＩバッファ１０３の容量を超えた場合、古いＲＴＩバッファの上から新しいＲＴＩデータを上書きする（ステップＳ６０４、Ｓ６１２）。ＲＴＩバッファ１０３の容量内である場合、全体制御部１１８にて、ＲＴＩバッファ１０３の再生制御情報３０９内のＲＴＩデータ３０８のテキスト長３１０ｃとＲＴＩデータ３０９のデータ長が一致するかどうかの判定を行う（ステップＳ６０５）。一致しない場合は、ＲＴＩデータにエラーがあるということなので、ＲＴＩデータ表示設定メモリ１１９のエラー時の設定情報にもとづいて、画面にエラーのあることを表示するかしないかを判定し、表示する場合はエラーのあることを表示する（ステップＳ６１３、Ｓ６１４）。その後、ＲＴＩデータをデコードせずに次の入力ストリームの処理を行う。なお、エラーのあるＲＴＩバッファ１０３を削除しても構わない（ステップＳ６１５）。
【００８２】
また、上記エラー発生時の設定情報がＲＴＩデータ表示設定メモリ１１９に存在しない場合およびＲＴＩデータ表示設定メモリ１１９が存在しない場合には、上記エラー表示をするかしないかを初期値として全体制御部１１８が決めておいても構わない。なお、以降の説明にあるＲＴＩデータ表示設定メモリ１１９にあるＲＴＩデータの表示設定値は、このＲＴＩデータ表示設定メモリ１１９のあるなしに関わらず、断りがない限り、全体制御部１１８またはＲＴＩ復号部１１１またはＲＴＩバッファメモリ１０３上に初期値が設定されていることを前提とする。
【００８３】
次に、ステップＳ６０７では、再生制御情報３０９内の言語コード３１０ａに対応した文字コード表があるかどうかを判定する。なければデコード処理できないので、言語コードに対応したフォントがないことを画面に表示する（ステップＳ６１６）。この場合も前に説明したエラー処理時でのエラーメッセージの表示、非表示の選択を持たせることもできる。その後、ＲＴＩデータをデコードせずに次の多重符号化ストリームの処理を行う。
【００８４】
次いで、ステップＳ６０８では、ＲＴＩバッファ１０３から転送されたＲＴＩデータ１０８をＲＴＩ復号部１１１にて、再生制御情報１０７およびＲＴＩ表示設定メモリ１１９上の情報にもとづいて、文字コード表格納部１０９を用いてデコード処理し、デコード結果をＲＴＩ出力バッファ１１４に転送する（ステップＳ６０９）。次に、ＲＴＩデータのＰＴＳ１０６の時間に、ＲＴＩ出力バッファ１１４のデータを、同じＰＴＳをもつビデオ出力バッファ１１５のデータと合成後、音声出力バッファ１１６とともに外部出力する（ステップＳ６１０）。その後、次の再生単位の多重化ストリームの処理に移る。
【００８５】
次に、本実施の形態１に係るＤＶＤオーディオ再生装置におけるＲＴＩデータの表示処理について図７を用いて説明する。
ＲＴＩデータの表示方法に関する情報はＲＴＩデータには存在しないため、ＲＴＩデータの表示位置はそれぞれのＤＶＤオーディオ再生装置に委ねられる。従って先に述べたように、ＲＴＩデータを画面上のどの位置に表示すればよいかという問題と、ＲＴＩデータと主映像と重なる形で表示されるため、ＲＴＩデータもしくは主映像もしくは副映像等が見えにくくなってしまうという問題があった。
【００８６】
そこで上記課題を解決するために、本実施の形態１によるＤＶＤオーディオ再生装置では予めＲＴＩデータの表示位置を設定するための手段を設けておく。即ち、ユーザーはＤＶＤオーディオディスクを再生する前もしくは再生中に、ＤＶＤ再生装置用のリモコンもしくはＤＶＤオーディオ再生装置本体のＲＴＩデータ表示設定用の外部入力部１２０を用いて、ＲＴＩデータの表示位置や表示の大きさ等を設定する。ＲＴＩデータを表示したくないときには、ＲＴＩデータを表示しないように設定しておくことも可能とする。また、上記のようなＲＴＩデータの表示位置や表示の大きさや表示の有無の設定を電源投入時に繰り返しすることは、ユーザーにとって手間となるので、上記表示方法と表示の有無を予めＲＴＩデータ表示情報メモリ１１９に記憶させておき、電源投入時に前記ＲＴＩデータ表示設定メモリ１１９の情報を元にＲＴＩデータの表示方法を決定するようにしておく。
【００８７】
図７は、本実施の形態１に係るＤＶＤオーディオ再生装置におけるＲＴＩデータの表示制御処理に関するフローチャートである。
電源投入後、ＤＶＤオーディオディスクの読み出しが始まる。読み出された多重符号化ストリームはエラー訂正、復調がなされた後、ＤＶＤオーディオ再生装置に入力される。入力された多重符号化ストリームは入力処理部１０１にて音声、映像、ＲＴＩデータに分離される（ステップＳ７０１）。入力処理部１０１に入力された多重符号化ストリームの一再生単位において、ＲＴＩデータの有無が判定される（ステップＳ７０２）。ＲＴＩデータが存在しない場合は、音声、映像の再生処理に移る（ステップＳ７１１）。ＲＴＩデータが存在する場合（ステップＳ７０３）には、ＲＴＩデータ表示設定メモリ１１９にＲＴＩデータの表示設定情報が存在するかどうかを判定する（ステップＳ７０４）。表示設定が存在しない場合は、ＲＴＩデータを表示させず音声、映像再生処理に移る（ステップＳ７１１）。
【００８８】
また、表示設定が存在しない場合においても、初期値として別の表示設定値を指定しておくことも可能である。その場合は、その初期値をＲＴＩデータ表示設定値として次のステップＳ７０４に移る。なお、以降の説明にあるＲＴＩデータ表示設定メモリ１１９にあるＲＴＩデータの表示設定値は、このＲＴＩデータ表示設定メモリ１１９のあるなしに関わらず、断りがない限り、全体制御部１１８またはＲＴＩ復号部１１１またはＲＴＩバッファメモリ１０３上に初期値が設定されていることを前提とする。
【００８９】
次に、ステップＳ７０４では、ＲＴＩデータの表示設定値が存在する場合、その設定内容がＲＴＩデータを画面に表示する、しないの表示の有無を判定する。ＲＴＩデータを表示しない設定の場合、ＲＴＩデータを表示させないで、映像、音声再生処理に移る（ステップＳ７１１）。ＲＴＩデータを表示させる設定の場合は、ＲＴＩデータの表示設定内容として表示位置および表示の大きさの設定値等を読み出し、この表示設定に従ってＲＴＩデータを映像信号にデコード処理を行う（ステップＳ７０５、Ｓ７０６）。次いで、デコード処理されたＲＴＩデータを映像と合成後に外部出力させる（ステップＳ７０７）。ＲＴＩデータの表示が終わると、次の再生単位、つまり次の多重符号化ストリームの存在の有無を判定する（ステップＳ７０８）。次の多重符号化ストリームが存在しない場合は、ＤＶＤオーディオディスクの再生は終了する。次の多重符号化ストリームが存在する場合は、次のストリームの再生処理に移る。
【００９０】
ただし、次の再生処理に移る前に、ＲＴＩデータの表示位置、表示の大きさ、あるいは表示の有無の設定等の変更を割り込み処理として行うことを可能とする。つまり、ＲＴＩデータの表示設定メモリ１１９の設定値をユーザーが好きなように変更することを可能とする外部入力部１２０を設け、その設定値を次のＲＴＩデータのデコード処理までに変更することにより、ストリーム毎にＲＴＩデータの表示設定メモリ１１９の設定値を変更できる（ステップＳ７０９、Ｓ７１０）。ＲＴＩデータの表示設定メモリ１１９の値を変更しない場合は、次の再生処理に移行する。
【００９１】
以上のＲＴＩデータ表示設定機能（ＲＴＩデータの表示位置、表示の大きさ、色、表示の有無、エラーの存在の有無を画面に知らせること等）は、ＤＶＤの再生時に、メニューコマンドにサブピクチャーの表示の有無の設定ができるのと同様に、予め、再生装置の初期設定機能として組み込んでおけば実現可能である。
【００９２】
次に、本実施の形態１に係るＤＶＤオーディオ再生装置において、ＲＴＩデータ表示設定メモリ１１９の値を外部入力部１２０を用いて変更する方法について図９〜図１８を用いて説明する。
【００９３】
図９は、ＲＴＩデータ表示設定メモリ１１９の値を変更する時のＲＴＩデータの表示設定メニュー画面である。このＲＴＩデータの表示設定メニュー画面は、通常、ＤＶＤ再生時に備わっているメニュー画面（字幕の有無、音声の日本語、英語の選択等を行うメニュー画面）に、新たにＲＴＩデータの表示設定メニューの項目を追加することで設けることができる。また、ＲＴＩデータの表示設定をメニュ画面で表示することで、リモコン等の外部入力部１２０を用いて容易にＲＴＩデータ表示設定メモリ１１９の値を変更することが可能となる。
【００９４】
図９において、白抜きと黒抜きの項目があるが、文字が白抜きで表示された項目が、現在、選択されている項目を示し、それ以外の項目は、非選択項目を示す。また、リモコン等の外部入力部の矢印キー等を用いて、この選択項目を自由に変更することができる。通常、設定値の変更は、変更したい項目に選択項目を移動した後（つまり、白抜き表示を移動させた後）、決定キー（もしくはリターンキー等の確定を意味するキー）を入力することで選択を確定することができる。９０１〜９２０までは、左右２列の各々の列でひとつの項目を示し、左が項目名、右がその設定値を示す。また、下部の「再生へ」９２１、「メニューへ」９２２は、その項目を選択、決定された後それぞれの項目が実行される。つまり、「再生へ」９２１が選択、決定された後はＤＶＤオーディオの再生が始まり、「メニューへ」９２２が選択、決定された後は、先に説明した最初のメニュー画面に戻る。また、９１９、９２０は、９１９が選択、決定された後に予め登録してあった既定値（ＤＶＤ再生装置の作成者またはユーザーが登録した既定値）に戻ることを示す。つまり、ユーザーがＲＴＩデータの表示設定を変更後、既定の設定値に戻りたいときに、使用することが可能である。こうすることで設定変更した後に、ユーザーが元の設定値に戻したいときに役立つ。
【００９５】
次に、それぞれの項目の説明をする。なお、以下の説明では変更したい設定項目を選択、決定した後の処理について説明する。
図１０は、ＲＴＩデータ表示設定メニューの「表示の有無」９０１を選択、決定した時に、ＲＴＩデータの表示の有無を変更するためのメニュー画面である。この項目では、「有」１００１を選択、決定するとＲＴＩデータの表示を行うことが決定され、ＲＴＩデータの表示設定メモリ１１９の値を変更する。また、「無」１００２を選択、決定するとＲＴＩデータの表示をしないことが決定され、ＲＴＩデータの表示設定メモリ１１９の値を変更する。また、上記変更が決定後、現在のメニューから図９のＲＴＩデータ表示設定メニューへ戻ることも、図９の画面のままであることも可能である。なお、１００３を選択、決定すると図９のＲＴＩデータ表示設定メニューへ戻る。
【００９６】
図１１は、ＲＴＩデータ表示設定メニューの「表示位置」９０３を選択、決定した時に、ＲＴＩデータの表示位置を変更するためのメニュー画面である。この項目では、各項目１１０１〜１１０９を選択、決定すると、ＲＴＩデータの表示位置をそれぞれの場所に表示するように、ＲＴＩデータの表示設定メモリ１１９の値を変更する。なお、図１１に示される位置に表示する以外に、マウスや矢印キー等を使って、実際の画面の座標を指し示すことで表示位置を決定することも可能である。また、上記変更が決定後、図９のＲＴＩデータ表示設定メニューへ戻ることも、図１１の画面のままであることも可能である。なお、１１１０を選択、決定すると図９のＲＴＩデータ表示設定メニューへ戻る。
【００９７】
図１２は、ＲＴＩデータ表示設定メニューの「テキストの大きさ」９０５を選択、決定した時に、ＲＴＩデータのテキストの大きさを変更するためのメニュー画面である。この項目では、各項目１２０１〜１２０５を選択、決定すると、ＲＴＩデータのテキストの大きさをそれぞれに対応する文字の大きさにするように、ＲＴＩデータの表示設定メモリ１１９の値を変更する。なお、図１２に示される文字の大きさ以外に、数値入力を行えるようにすることで、文字の大きさを自由に変更することが可能となる。また、上記変更が決定後、図９のＲＴＩデータ表示設定メニューへ戻ることも、図１２の画面のままであることも可能である。なお、１２０６を選択、決定すると図９のＲＴＩデータ表示設定メニューへ戻る。
【００９８】
図１３は、ＲＴＩデータ表示設定メニューの「テキストの色」９０７を選択、決定した時に、ＲＴＩデータのテキストの色を変更するためのメニュー画面である。この項目では、各項目１３０１〜１３０８を選択、決定すると、ＲＴＩデータのテキストの色をそれぞれに対応する文字の色にするように、ＲＴＩデータの表示設定メモリ１１９の値を変更する。なお、図１３に示される色以外にも表示用の色を増やせば、さらに多くの色でＲＴＩデータを表示することができる。また、上記変更が決定後、図９のＲＴＩデータ表示設定メニューへ戻ることも、図１３の画面のままであることも可能である。なお、１３０９を選択、決定すると図９のＲＴＩデータ表示設定メニューへ戻る。
【００９９】
図１４は、ＲＴＩデータ表示設定メニューの「縦書き、横書き」９０９を選択、決定した時に、ＲＴＩデータの表示方法を縦書きと横書きのどちらかに変更するためのメニュー画面である。この項目では、「横」１４０１を選択すると、ＲＴＩデータを横書きで表示するように、また、「縦」１４０２を選択すると、ＲＴＩデータを縦書きで表示するように、ＲＴＩデータの表示設定メモリ１１９の値を変更する。また、上記変更が決定後、図９のＲＴＩデータ表示設定メニューへ戻ることも、図１４の画面のままであることも可能である。なお、１４０３を選択、決定すると図９のＲＴＩデータ表示設定メニューへ戻る。
【０１００】
図１５は、ＲＴＩデータ表示設定メニューの「画面サイズ」９１１を選択、決定した時に、今発明のＤＶＤオーディオ再生装置からの映像が表示される画面のサイズを変更するためのメニュー画面である。この項目では、「１６：９」１５０１を選択すると、１６：９の画面に４：３の画像を表示する際に、ＲＴＩデータを画面の左右の暗部のどちらに表示させるか（「左」１５０４、「右」１５０５）、もしくは、そのどちらでもなく、表示位置の設定メニュー９０３で選択した部分に表示するか（「ＯＦＦ」１５０３）を選択することができ、その設定値にＲＴＩデータの表示設定メモリ１１９の値を変更する。また、「４：３」１５０２を選択すると、４：３の画面に１６：９の画像を表示する際に、ＲＴＩデータを画面の上下の暗部のどちらに表示させるか（「上」１５０７、「下」１５０８）、もしくは、そのどちらでもなく、表示位置の設定メニュー９０３で選択した部分に表示するか（「ＯＦＦ」１５０６）を選択することができ、その設定値にＲＴＩデータの表示設定メモリ１１９の値を変更する。また、上記変更が決定後、図９のＲＴＩデータ表示設定メニューへ戻ることも、図１５の画面のままであることも可能である。なお、１５０９を選択、決定すると図９のＲＴＩデータ表示設定メニューへ戻る。
【０１０１】
図１６は、ＲＴＩデータ表示設定メニューの「Ｖｉｓｕａｌ  Ｅｆｆｅｃｔ対応」９１３を選択、決定した時に、ＲＴＩデータの表示方法にもＶｉｓｕａｌ  Ｅｆｆｅｃｔ効果を適用するのか、しないのかの設定を変更するためのメニュー画面である。この項目では、「ＯＮ」１６０１を選択すると、ＲＴＩデータもＶｉｓｕａｌ  Ｅｆｆｅｃｔ効果を適用させるようにし、「ＯＦＦ」１６０２を選択すると、ＲＴＩデータはＶｉｓｕａｌ  Ｅｆｆｅｃｔ効果を適用しないように、ＲＴＩデータの表示設定メモリ１１９の値を変更する。また、上記変更が決定後、図９のＲＴＩデータ表示設定メニューへ戻ることも、図１６の画面のままであることも可能である。なお、１６０３を選択、決定すると図９のＲＴＩデータ表示設定メニューへ戻る。
【０１０２】
図１７は、ＲＴＩデータ表示設定メニューの「対応する文字コードがない場合にエラーメッセージの表示の有無」９１５を選択、決定した時に、ＲＴＩデータのデコード処理時に対応する文字コードがない場合に、エラーメッセージを表示させるかどうかの設定を変更するためのメニューである。この項目では、「有」１７０１を選択すると、ＲＴＩデータのデコード処理時に対応する文字コードがない場合に、エラーメッセージを表示させるように、「無」１７０２を選択すると、ＲＴＩデータのデコード処理時に対応する文字コードがない場合に、エラーメッセージを表示させないように、ＲＴＩデータの表示設定メモリ１１９の値を変更する。また、上記変更が決定後、図９のＲＴＩデータ表示設定メニューへ戻ることも、図１７の画面のままであることも可能である。なお、１７０３を選択、決定すると図９のＲＴＩデータ表示設定メニューへ戻る。
【０１０３】
図１８は、ＲＴＩデータ表示設定メニューの「エラーメッセージの表示の有無」９１７を選択、決定した時に、ＲＴＩデータに何かエラーがあったときに、エラーメッセージを表示させるかどうかの設定を変更するためのメニューである。この項目では、「有」１８０１を選択すると、ＲＴＩデータに何かエラーがあった時に、エラーメッセージを表示させるように、「無」１８０２を選択すると、ＲＴＩデータに何かエラーがあっても、エラーメッセージを表示させないように、ＲＴＩデータの表示設定メモリ１１９の値を変更する。また、上記変更が決定後、図９のＲＴＩデータ表示設定メニューへ戻ることも、図１８の画面のままであることも可能である。なお、１８０３を選択、決定すると図９のＲＴＩデータ表示設定メニューへ戻る。
【０１０４】
なお、図９〜図１８のメニュー画面の項目や表示方法等については、一例を示したにすぎずこの例に限るものではない。また、項目数についてもいくつかの項目に絞って、メニュー表示を変更することが可能である。
【０１０５】
このように、本実施の形態によるＤＶＤオーディオ再生装置では、メニュー表示画面を用いてＲＴＩデータの表示方法を設定する外部入力手段を備えた構成としたから、ユーザーはメニュー表示画面を見ながら、外部入力部等を用いて、好みにあわせて、ＲＴＩデータの表示方法を変更することができる。
【０１０６】
【発明の効果】
以上のように、本発明（請求項１）に係るＤＶＤオーディオ再生装置によれば、音声、映像、リアルタイムテキスト情報、付加情報等がＤＶＤオーディオ規格に基づいてディジタル符号化され、パケット単位で多重化された多重符号化ストリームを再生するＤＶＤオーディオ再生装置であって、前記多重符号化ストリームは複数のパックを含み、前記複数のパックの各々は少なくとも１つのパケットを含み、前記パケットはパケットヘッダと符号化データを含み、前記符号化データは、パケット音声符号化データ、パケット映像符号化データ、及びパケットリアルタイムテキスト情報符号化データのいずれかを含むものであり、前記リアルタイムテキスト情報符号化データを含むパケットから、リアルタイムテキスト情報符号化データと、前記リアルタイムテキスト情報の、言語コード，文字セットコード，テキストデータ長，リピートフラグ，及び最大表示時間を含む再生制御情報と、パケットヘッダ内にある表示時間情報とを分離する入力処理部と、前記入力処理部で分離された前記再生制御情報及び前記表示時間情報に基づいてリアルタイムテキスト情報符号化データをデコード処理するリアルタイムテキスト情報復号部とを備え、前記入力処理部は、前記入力処理部で分離された前記リアルタイムテキスト情報符号化データと、前記リアルタイムテキスト情報の再生制御情報と、前記リアルタイムテキスト情報の表示時間情報とを１つのリアルタイムテキスト情報の再生単位として記憶装置に格納し、前記リアルタイムテキスト情報復号部は、前記記憶装置に格納されたリアルタイムテキスト情報符号化データをデコード処理する構成としたから、ＲＴＩデータを含む多重符号化ストリームからＲＴＩデータを再生し表示することが可能となる効果がある。また、ＲＴＩパックに含まれる使用しない他のデータを排除し、バッファメモリを効率よく使用できる効果がある。また、ＲＴＩバッファに格納する時に予め必要な情報だけを取り出し格納しておけるので、デコード時にパラメータの抽出等を再度実施する必要がなくなる効果がある。
【０１０８】
また、本発明（請求項２）に係るＤＶＤオーディオ再生装置によれば、請求項１記載のＤＶＤオーディオ再生装置において、前記映像符号化データのパケットヘッダ内にある前記表示時間情報の時間までに、前記映像符号化データをデコードするビデオ復号部と、前記符号化音声データのパケットヘッダ内にある前記表示時間情報の時間までに、前記符号化音声データをデコードするオーディオ復号部とを備え、前記リアルタイムテキスト情報復号部は、前記記憶装置に格納された前記表示時間情報に基づき、前記記憶装置に格納された前記リアルタイムテキスト情報符号化データに含まれるテキスト符号化データを、前記再生制御情報に含まれる前記リアルタイムテキスト情報のテキストデータ長、及び外部文字コード表を用いてデコード処理し、前記ビデオ復号部でデコード処理された映像データと前記リアルタイムテキスト情報復号部でデコード処理されたリアルタイムテキスト情報データを混合器にて合成処理した後、前記オーディオ復号部でデコード処理された音声データと共に前記表示時間情報の時間に外部に出力するものとしたから、ＲＴＩデータを映像、及び音声のＰＴＳ情報とともに管理することで、同期再生することが可能となる効果がある。
【０１０９】
また、本発明（請求項３）に係るＤＶＤオーディオ再生装置によれば、請求項２記載のＤＶＤオーディオ再生装置において、前記リアルタイムテキスト情報符号化データをデコード処理する際に用いる前記外部文字コード表を、特定の国、または地域で使用される言語の文字コード表に変更する手段を備えたものとしたから、ＲＴＩデータの言語コードに対応する文字コード表を全ての言語コードに対して備える必要がなく、外部文字コードを格納する外部文字コード表記憶装置のメモリ容量を必要最低限に抑えることができる効果がある。また、対応する言語コードがなくデコード処理を行うことができないために、ＤＶＤオーディオ再生時にハングアップしてしまうことを回避することができる効果がある。さらに、文字コード表を変更するだけでＤＶＤオーディオ再生装置の他の機能はそのまま使用でき、新たにＤＶＤオーディオ再生装置を作成する必要がなくなる効果がある。
【０１１０】
また、本発明（請求項４）に係るＤＶＤオーディオ再生装置によれば、請求項２記載のＤＶＤオーディオ再生装置において、前記リアルタイムテキスト情報復号部がデコード処理に用いる前記外部文字コード表を格納する外部文字コード表格納部と、複数の外部文字コード表を蓄積する外部文字コード表記憶装置と、前記外部文字コード表記憶装置から、前記リアルタイムテキスト情報復号部が前記リアルタイムテキスト情報をデコード処理する際に用いる前記外部文字コード表のみを外部文字コード表格納部にダウンロードする制御手段と、を備えたものとしたから、外部文字コード表格納部のメモリ容量を削減することができる効果がある。また、対応する言語コードがなくデコード処理を行うことができないために、ＤＶＤオーディオ再生時にハングアップしてしまうことを回避することができる効果がある。
【０１１１】
また、本発明（請求項５）に係るＤＶＤオーディオ再生装置によれば、請求項２記載のＤＶＤオーディオ再生装置において、前記リアルタイムテキスト情報復号部がデコード処理に用いる前記外部文字コード表を格納する外部文字コード表格納部と、複数の外部文字コード表を蓄積する外部文字コード表記憶装置と、前記外部文字コード表記憶装置から、前記リアルタイムテキスト情報復号部が前記リアルタイムテキスト情報をデコード処理する際に用いる前記外部文字コード表のみを外部文字コード表格納部に１度だけダウンロードする制御手段と、を備え、前記入力処理部は、前記制御手段がダウンロードした前記外部文字コード表以外の文字コードを用いたリアルタイムテキスト情報の前記リアルタイムテキスト情報符号化データと、前記リアルタイムテキスト情報の再生制御情報と、前記リアルタイムテキスト情報の表示時間情報とを前記記憶装置に格納しないものとしたから、外部文字コード表格納部及びＲＴＩバッファのメモリ容量を削減することができる効果がある。また、対応する言語コードがなくデコード処理を行うことができないために、ＤＶＤオーディオ再生時にハングアップしてしまうことを回避することができる効果がある。
【０１１２】
また、本発明（請求項６）に係るＤＶＤオーディオ再生装置によれば、請求項２記載のＤＶＤオーディオ再生装置において、前記リアルタイムテキスト情報符号化データを映像出力する際の画面表示位置、表示の大きさ、表示の色、及び表示の有無を予め設定するためのリアルタイムテキスト情報データ表示設定メモリを備え、前記リアルタイムテキスト情報復号部は、前記リアルタイムテキスト情報データ表示設定メモリに設定された前記画面表示位置、前記表示の大きさ、前記表示の色、及び前記表示の有無の設定に従って、前記リアルタイムテキスト情報符号化データを映像信号にデコード処理するものとしたから、前記リアルタイムテキスト情報データ表示設定メモリの内容を変更するだけで、ＲＴＩデータのデコード処理方法を容易に変更することができる効果がある。
【０１１３】
また、本発明（請求項７）に係るＤＶＤオーディオ再生装置によれば、請求項６記載のＤＶＤオーディオ再生装置において、前記リアルタイムテキスト情報データ表示設定メモリは、前記リアルタイムテキスト情報符号化データを映像出力する際の前記画面表示位置、前記表示の大きさ、前記表示の色、及び前記表示の有無、を設定する初期値を備えるものとしたから、前記リアルタイムテキスト情報データ表示設定メモリの内容がクリアされている場合にもＲＴＩデータのデコード処理を中断することなく実行させることができる効果がある。
【０１１４】
また、本発明（請求項８）に係るＤＶＤオーディオ再生装置によれば、請求項６記載のＤＶＤオーディオ再生装置において、前記リアルタイムテキスト情報復号部は、前記映像符号化データの画像出力フォーマットに対応して、前記リアルタイムテキスト情報データの表示方法を変更するよう前記リアルタイムテキスト情報符号化データをデコード処理するものとしたから、画面に表示されたＲＴＩデータと主映像とが重なり、主映像とＲＴＩデータが共に見えにくくなってしまうことを回避することができる効果がある。
【０１１５】
また、本発明（請求項９）に係るＤＶＤオーディオ再生装置によれば、請求項６記載のＤＶＤオーディオ再生装置において、前記リアルタイムテキスト情報復号部は、前記映像符号化データの画像出力フォーマットが１６：９の映像信号を表示部が４：３の画面に出力する際に、前記リアルタイムテキスト情報データを、画面上部または画面下部の暗部に出力するよう前記リアルタイムテキスト情報符号化データをデータコード処理するものとしたから、映像情報とリアルタイムテキスト情報表示設定情報からＲＴＩデータを最適な表示位置に表示することができる効果がある。また、画面に表示されたＲＴＩデータと主映像とが重なり、主映像とＲＴＩデータが共に見えにくくなってしまうことを回避することができる効果がある。
【０１１６】
また、本発明（請求項１０）に係るＤＶＤオーディオ再生装置によれば、請求項６記載のＤＶＤオーディオ再生装置において、前記リアルタイムテキスト情報復号部は、前記映像符号化データの画像出力フォーマットが４：３の映像信号を表示部が１６：９の画面に出力する際に、前記リアルタイムテキスト情報データが縦書きを可とする言語に対して、前記リアルタイムテキスト情報データを、画面左部または画面右部の暗部に縦書きで出力するようリアルタイムテキスト情報符号化データをデコード処理するものとしたから、映像情報とリアルタイムテキスト情報表示設定情報からＲＴＩデータを最適な表示位置に表示することができる効果がある。また、画面に表示されたＲＴＩデータと主映像とが重なり、主映像とＲＴＩデータが共に見えにくくなってしまうことを回避することができる効果がある。
【０１１７】
また、本発明（請求項１１）に係るＤＶＤオーディオ再生装置によれば、請求項６記載のＤＶＤオーディオ再生装置において、前記リアルタイムテキスト情報復号部は、前記映像符号化データの画像出力がＶｉｓｕａｌ Ｅｆｆｅｃｔによりフェードインまたはフェードアウトして出力される時、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報符号化データをデコード処理するものとしたから、映像がＶｉｓｕａｌ  Ｅｆｆｅｃｔを用いているときに、ＲＴＩデータも同様の処理を施すようにしたり、逆に、ＲＴＩデータには同様の処理を施さなかったりすることができる効果がある。
【０１１８】
また、本発明（請求項１２）に係るＤＶＤオーディオ再生装置によれば、請求項６記載のＤＶＤオーディオ再生装置において、前記リアルタイムテキスト情報データ表示設定メモリの設定値を変更する指示が入力される外部入力部を備えるものとしたから、ＲＴＩデータをユーザーの好みの位置と大きさと色で表示することができる効果がある。
【０１１９】
また、本発明（請求項１３）に係るＤＶＤオーディオ再生装置によれば、請求項１２記載のＤＶＤオーディオ再生装置において、前記外部入力部は、外部からの入力に応じて、前記リアルタイムテキスト情報データを、縦書きまたは横書きに映像表示するよう、前記リアルタイムテキスト情報データ表示設定メモリの設定値を変更するものとしたから、縦書きが可能な言語に対してＲＴＩデータを縦書きで表示させることができる効果がある。
【０１２０】
また、本発明（請求項１４）に係るＤＶＤオーディオ再生装置によれば、請求項１２記載のＤＶＤオーディオ再生装置において、前記外部入力部は、前記映像符号化データの画像出力フォーマットが１６：９の映像信号を４：３の画面に出力する際に、外部からの入力に応じて、前記リアルタイムテキスト情報データを、画面上部または画面下部の暗部に出力するよう、前記リアルタイムテキスト情報データ表示設定メモリの設定値を変更するものとしたから、画面に表示されたＲＴＩデータと主映像とが重なり、主映像とＲＴＩデータが共に見えにくくなってしまうことを回避することができる効果がある。
【０１２１】
また、本発明（請求項１５）に係るＤＶＤオーディオ再生装置によれば、請求項１２記載のＤＶＤオーディオ再生装置において、前記外部入力部は、前記映像符号化データの画像出力フォーマットが４：３の映像信号を１６：９の画面に出力する際に、前記リアルタイムテキスト情報データが縦書きを可とする言語に対して、外部からの入力に応じて、前記リアルタイムテキスト情報データを画面左部または画面右部の暗部に縦書きで出力するよう、前記リアルタイムテキスト情報データ表示設定メモリの設定値を変更するものとしたから、画面に表示されたＲＴＩデータと主映像とが重なり、主映像とＲＴＩデータが共に見えにくくなってしまうことを回避することができる効果がある。
【０１２２】
また、本発明（請求項１６）に係るＤＶＤオーディオ再生装置によれば、請求項１２記載のＤＶＤオーディオ再生装置において、前記外部入力部は、前記映像符号化データの画像出力がＶｉｓｕａｌ Ｅｆｆｅｃｔによりフェードインまたはフェードアウトして出力される時、外部からの入力に応じて、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するように、前記リアルタイムテキスト情報データ表示設定メモリの設定値を変更するものとしたから、映像がＶｉｓｕａｌ  Ｅｆｆｅｃｔを用いているときにＲＴＩデータも同様の処理を施すようにしたり、逆に、ＲＴＩデータには同様の処理を施さなかったりすることができる効果がある。
【０１２３】
また、本発明（請求項１７）に係るＤＶＤオーディオ再生装置によれば、請求項１記載のＤＶＤオーディオ再生装置において、前記入力処理部は、前記記憶装置が前記入力処理部で分離されたリアルタイムテキスト情報で満たされた時、前記入力処理部で分離された新しいリアルタイムテキスト情報を前記記憶装置に既に格納されている古いリアルタイムテキスト情報に上書きして前記記憶装置に格納するものとしたから、ＲＴＩバッファメモリの容量を越えてしまうためにＲＴＩデータのデコード処理が不能になることを回避することができる効果がある。
【０１２４】
また、本発明（請求項１８）に係るＤＶＤオーディオ再生装置によれば、請求項２記載のＤＶＤオーディオ再生装置において、前記入力処理部で分離された前記リアルタイムテキスト情報の前記再生制御情報または前記リアルタイムテキスト情報符号化データにエラーが含まれている時、前記リアルタイムテキスト情報を表示しないようにするエラー処理部を備えたものとしたから、前記リアルタイムテキスト情報符号化データにエラーが含まれていてもＤＶＤオーディオディスクの再生処理を継続させることができる効果がある。
【０１２５】
また、本発明（請求項１９）に係るＤＶＤオーディオ再生装置によれば、請求項２記載のＤＶＤオーディオ再生装置において、前記入力処理部で分離された前記リアルタイムテキスト情報の前記再生制御情報または前記リアルタイムテキスト情報符号化データにエラーが含まれている時、リアルタイムテキスト情報にエラーがあったことを映像で表示させるエラー処理部を備えたものとしたから、前記リアルタイムテキスト情報にエラーが含まれている旨をユーザーに知らせることができる効果がある。
【０１２６】
また、本発明（請求項２０）に係るＤＶＤオーディオ再生装置によれば、請求項２記載のＤＶＤオーディオ再生装置において、前記入力処理部で分離された前記リアルタイムテキスト情報の前記表示時間情報にエラーが含まれている時、リアルタイムテキスト情報を表示しないようにするエラー処理部を備えたものとしたから、ＤＶＤオーディオディスクの再生処理が不能になることを回避することができる効果がある。
【０１２７】
また、本発明（請求項２１）に係るＤＶＤオーディオ再生装置によれば、請求項６記載のＤＶＤオーディオ再生装置において、前記リアルタイムテキスト情報表示設定メモリに、前記入力処理部で分離された前記リアルタイムテキスト情報の前記再生制御情報または前記リアルタイムテキスト情報符号化データにエラーが含まれている時、映像出力においてリアルタイムテキスト情報にエラーがあったことを表示させる、または表示させない、の設定を行なう指示が入力される外部入力部を備えるものとしたから、ユーザーがエラー処理の方法を設定して決めることができる効果がある。
【０１２８】
また、本発明（請求項２２）に係るＤＶＤオーディオ再生方法によれば、音声、映像、リアルタイムテキスト情報、付加情報等がＤＶＤオーディオ規格に基づいてディジタル符号化され、パケット単位で多重化された多重符号化ストリームを再生するＤＶＤオーディオ再生方法であって、前記多重符号化ストリームは複数のパックを含み、前記複数のパックの各々は少なくとも１つのパケットを含み、前記パケットはパケットヘッダとパケット符号化データを含み、前記パケット符号化データは、パケット音声符号化データ、パケット映像符号化データ、及びパケットリアルタイムテキスト情報符号化データのいずれかを含むものであり、前記リアルタイムテキスト情報符号化データを含むパケットから、リアルタイムテキスト情報符号化データと、前記リアルタイムテキスト情報の、言語コード，文字セットコード，テキストデータ長，リピートフラグ，及び最大表示時間を含む再生制御情報と、パケットヘッダ内にある表示時間情報とを分離する入力処理ステップと、前記入力処理ステップで分離された前記再生制御情報及び前記表示時間情報に基づいてリアルタイムテキスト情報符号化データをデコード処理するリアルタイムテキスト情報復号ステップとを含み、前記入力処理ステップは、前記入力処理ステップで分離された前記リアルタイムテキスト情報符号化データと、前記リアルタイムテキスト情報の再生制御情報と、前記リアルタイムテキスト情報の表示時間情報とを１つのリアルタイムテキスト情報の再生単位として記憶装置に記憶するデータ記憶ステップを含み、前記リアルタイムテキスト情報復号ステップは、前記データ記憶ステップで記憶装置に記憶されたリアルタイムテキスト情報符号化データをデコード処理するものとしたから、ＲＴＩデータを含む多重符号化ストリームからＲＴＩデータを再生し表示することが可能となる効果がある。また、ＲＴＩパックに含まれる使用しない他のデータを排除し、バッファメモリを効率よく使用できる効果がある。また、ＲＴＩバッファに格納する時に予め必要な情報だけを取り出し格納しておけるので、デコード時にパラメータの抽出等を再度実施する必要がなくなる効果がある。
【０１３０】
また、本発明（請求項２３）に係るＤＶＤオーディオ再生方法によれば、請求項２２記載のＤＶＤオーディオ再生方法において、前記データ記憶ステップで記憶された前記表示時間情報に基づき、前記データ記憶ステップで記憶された前記リアルタイムテキスト情報符号化データに含まれるテキスト符号化データを、前記再生制御情報に含まれる前記リアルタイムテキスト情報のテキストデータ長、及び外部文字コード表を用いてデコード処理する前記リアルタイムテキスト情報復号ステップと、前記映像符号化データのパケットヘッダ内にある前記表示時間情報の時間までに、前記映像符号化データをデコードするビデオ復号ステップと、前記符号化音声データのパケットヘッダ内にある前記表示時間情報の時間までに、前記符号化音声データをデコードするオーディオ復号ステップと、前記ビデオ復号ステップでデコード処理された映像データと前記リアルタイムテキスト情報復号ステップでデコード処理されたリアルタイムテキスト情報データを混合器にて合成処理した後、前記オーディオ復号ステップでデコード処理された音声データと共に前記表示時間情報の時間に外部出力するステップとを含むものとしたから、ＲＴＩデータを映像、及び音声のＰＴＳ情報とともに管理することで、同期再生することが可能となる効果がある。
【０１３１】
また、本発明（請求項２４）に係るＤＶＤオーディオ再生方法によれば、請求項２３記載のＤＶＤオーディオ再生方法において、前記リアルタイムテキスト情報復号ステップに用いる前記外部文字コード表を、特定の国、または地域で使用される言語の文字コード表に変更するステップを含むものとしたから、ＲＴＩデータの言語コードに対応する文字コード表を全ての言語コードに対して備える必要がなく、外部文字コードを格納する外部文字コード表記憶装置のメモリ容量を必要最低限に抑えることができる効果がある。また、対応する言語コードがなくデコード処理を行うことができないために、ＤＶＤオーディオ再生時にハングアップしてしまうことを回避することができる効果がある。さらに、文字コード表を変更するだけでＤＶＤオーディオ再生装置の他の機能はそのまま使用でき、新たにＤＶＤオーディオ再生装置を作成する必要がなくなる効果がある。
【０１３２】
また、本発明（請求項２５）に係るＤＶＤオーディオ再生方法によれば、請求項２３記載のＤＶＤオーディオ再生方法において、複数の外部文字コード表を蓄積する外部文字コード表記憶装置から、前記リアルタイムテキスト情報をデコード処理する際に用いる前記外部文字コード表のみを前記リアルタイムテキスト情報復号ステップにおけるデコード処理に用いる前記外部文字コード表を格納する外部文字コード表格納部にダウンロードするダウンロードステップを含むものとしたから、外部文字コード表格納部のメモリ容量を削減することができる効果がある。また、対応する言語コードがなくデコード処理を行うことができないために、ＤＶＤオーディオ再生時にハングアップしてしまうことを回避することができる効果がある。
【０１３３】
また、本発明（請求項２６）に係るＤＶＤオーディオ再生方法によれば、請求項２３記載のＤＶＤオーディオ再生方法において、複数の外部文字コード表を蓄積する外部文字コード表記憶装置から、前記リアルタイムテキスト情報をデコード処理する際に用いる前記外部文字コード表のみを前記リアルタイムテキスト情報復号ステップにおけるデコード処理に用いる前記外部文字コード表を格納する外部文字コード表格納部に１度だけダウンロードするダウンロードステップを含み、前記入力処理ステップの前記データ記憶ステップでは、前記ダウンロードステップでダウンロードした前記外部文字コード表以外の文字コードを用いたリアルタイムテキスト情報の前記リアルタイムテキスト情報符号化データと、前記リアルタイムテキスト情報の再生制御情報と、前記リアルタイムテキスト情報の表示時間情報とを前記記憶装置に格納しないものとしたから、外部文字コード表格納部及びＲＴＩバッファのメモリ容量を削減することができる効果がある。また、対応する言語コードがなくデコード処理を行うことができないために、ＤＶＤオーディオ再生時にハングアップしてしまうことを回避することができる効果がある。
【０１３４】
また、本発明（請求項２７）に係るＤＶＤオーディオ再生方法によれば、請求項２３記載のＤＶＤオーディオ再生方法において、前記リアルタイムテキスト情報符号化データを映像出力する際の画面表示位置、表示の大きさ、表示の色、及び表示の有無を設定するためのリアルタイムテキスト情報データ表示設定ステップを含み、前記リアルタイムテキスト情報復号ステップは、前記リアルタイムテキスト情報データ表示設定ステップで設定された前記画面表示位置、前記表示の大きさ、前記表示の色、及び前記表示の有無、の表示の設定に従って、前記リアルタイムテキスト情報符号化データを映像信号にデコード処理するものとしたから、リアルタイムテキスト情報データの表示設定の内容を変更するだけで、ＲＴＩデータのデコード処理方法を容易に変更することができる効果がある。
【０１３５】
また、本発明（請求項２８）に係るＤＶＤオーディオ再生方法によれば、請求項２７記載のＤＶＤオーディオ再生方法において、前記リアルタイムテキスト情報データ表示設定ステップにおいて、前記リアルタイムテキスト情報符号化データを映像出力する際の前記画面表示位置、前記表示の大きさ、前記表示の色、及び前記表示の有無、の表示の設定値を、予め有する初期値とするものとしたから、リアルタイムテキスト情報データの表示設定の内容がクリアされている場合にもＲＴＩデータのデコード処理を中断することなく実行させることができる効果がある。
【０１３６】
また、本発明（請求項２９）に係るＤＶＤオーディオ再生方法によれば、請求項２７記載のＤＶＤオーディオ再生方法において、前記リアルタイムテキスト情報復号ステップは、前記映像符号化データの画像出力フォーマットに対応して前記リアルタイムテキスト情報データの表示方法を変更するよう前記リアルタイムテキスト情報符号化データをデコード処理するものとしたから、画面に表示されたＲＴＩデータと主映像とが重なり、主映像とＲＴＩデータが共に見えにくくなってしまうことを回避することができる効果がある。
【０１３７】
また、本発明（請求項３０）に係るＤＶＤオーディオ再生方法によれば、請求項２７記載のＤＶＤオーディオ再生方法において、前記リアルタイムテキスト情報復号ステップは、前記映像符号化データの画像出力フォーマットが１６：９の映像信号を表示部が４：３の画面に出力する際に、前記リアルタイムテキスト情報データを、画面上部または画面下部の暗部に出力するよう前記リアルタイムテキスト情報符号化データをデコード処理するものとしたから、映像情報とリアルタイムテキスト情報表示設定情報からＲＴＩデータを最適な表示位置に表示することができる効果がある。また、画面に表示されたＲＴＩデータと主映像とが重なり、主映像とＲＴＩデータが共に見えにくくなってしまうことを回避することができる効果がある。
【０１３８】
また、本発明（請求項３１）に係るＤＶＤオーディオ再生方法によれば、請求項２７記載のＤＶＤオーディオ再生方法において、前記リアルタイムテキスト情報復号ステップは、前記映像符号化データの画像出力フォーマットが４：３の映像信号を表示部が１６：９の画面に出力する際に、前記リアルタイムテキスト情報データが縦書きを可とする言語に対して、前記リアルタイムテキスト情報データを、画面左部または画面右部の暗部に縦書きで出力するよう前記リアルタイムテキスト情報符号化データをデコード処理するものとしたから、映像情報とリアルタイムテキスト情報表示設定情報からＲＴＩデータを最適な表示位置に表示することができる効果がある。また、画面に表示されたＲＴＩデータと主映像とが重なり、主映像とＲＴＩデータが共に見えにくくなってしまうことを回避することができる効果がある。
【０１３９】
また、本発明（請求項３２）に係るＤＶＤオーディオ再生方法によれば、請求項２７記載のＤＶＤオーディオ再生方法において、前記リアルタイムテキスト情報復号ステップは、前記映像符号化データの画像出力がＶｉｓｕａｌ Ｅｆｆｅｃｔによりフェードインまたはフェードアウトして出力される時、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報符号化データをデコード処理するものとしたから、映像がＶｉｓｕａｌ  Ｅｆｆｅｃｔを用いているときに、ＲＴＩデータも同様の処理を施すようにしたり、逆に、ＲＴＩデータには同様の処理を施さなかったりすることができる効果がある。
【０１４０】
また、本発明（請求項３３）に係るＤＶＤオーディオ再生方法によれば、請求項２７記載のＤＶＤオーディオ再生方法において、前記リアルタイムテキスト情報データ表示設定ステップは、外部からの入力に応じて、リアルタイムテキスト情報データの表示の設定値を変更する外部入力ステップを含むものとしたから、ＲＴＩデータをユーザーの好みの位置と大きさと色で表示することができる効果がある。
【０１４１】
また、本発明（請求項３４）に係るＤＶＤオーディオ再生方法によれば、請求項３３記載のＤＶＤオーディオ再生方法において、前記外部入力ステップは、外部からの入力に応じて、前記リアルタイムテキスト情報データを、縦書きまたは横書きに映像表示するようリアルタイムテキスト情報データの表示の設定値を変更するものとしたから、縦書きが可能な言語に対してＲＴＩデータを縦書きで表示させることができる効果がある。
【０１４２】
また、本発明（請求項３５）に係るＤＶＤオーディオ再生方法によれば、請求項３３記載のＤＶＤオーディオ再生方法において、前記外部入力ステップは、前記映像符号化データの画像出力フォーマットが１６：９の映像信号を４：３の画面に出力する際に、外部からの入力に応じて、前記リアルタイムテキスト情報データを、画面上部または画面下部の暗部に出力するようリアルタイムテキスト情報データの表示の設定値を変更するものとしたから、画面に表示されたＲＴＩデータと主映像とが重なり、主映像とＲＴＩデータが共に見えにくくなってしまうことを回避することができる効果がある。
【０１４３】
また、本発明（請求項３６）に係るＤＶＤオーディオ再生方法によれば、請求項３３記載のＤＶＤオーディオ再生方法において、前記外部入力ステップは、前記映像符号化データの画像出力フォーマットが４：３の映像信号を１６：９の画面に出力する際に、外部からの入力に応じて、前記リアルタイムテキスト情報データが縦書きを可とする言語に対して、前記リアルタイムテキスト情報データを、画面左部または画面右部の暗部に縦書きで出力するようリアルタイムテキスト情報データの表示の設定値を変更するものとしたから、画面に表示されたＲＴＩデータと主映像とが重なり、主映像とＲＴＩデータが共に見えにくくなってしまうことを回避することができる効果がある。
【０１４４】
また、本発明（請求項３７）に係るＤＶＤオーディオ再生方法によれば、請求項３３記載のＤＶＤオーディオ再生方法において、前記外部入力ステップは、前記映像符号化データの画像出力がＶｉｓｕａｌ Ｅｆｆｅｃｔによりフェードインまたはフェードアウトして出力される時、外部からの入力に応じて、前記リアルタイムテキスト情報データを、前記画像出力と同様にＶｉｓｕａｌ Ｅｆｆｅｃｔによりフェードインまたはフェードアウトして出力するか、Ｖｉｓｕａｌ Ｅｆｆｅｃｔなしに出力するようリアルタイムテキスト情報データの表示の設定値を変更するものとしたから、映像がＶｉｓｕａｌ  Ｅｆｆｅｃｔを用いているときにＲＴＩデータも同様の処理を施すようにしたり、逆に、ＲＴＩデータには同様の処理を施さなかったりすることができる効果がある。
【０１４５】
また、本発明（請求項３８）に係るＤＶＤオーディオ再生方法によれば、請求項２２記載のＤＶＤオーディオ再生方法において、前記入力処理ステップは、前記データ記憶ステップで記憶された記憶装置が前記入力処理ステップで分離されたリアルタイムテキスト情報で満たされた時、前記入力処理ステップで分離された新しいリアルタイムテキスト情報を前記記憶装置に既に格納された古いリアルタイムテキスト情報に上書きして前記記憶装置に格納するものとしたから、ＲＴＩバッファメモリの容量を越えてしまうためにＲＴＩデータのデコード処理が不能になることを回避することができる効果がある。
【０１４６】
また、本発明（請求項３９）に係るＤＶＤオーディオ再生方法によれば、請求項２３記載のＤＶＤオーディオ再生方法において、前記入力処理ステップで分離された前記リアルタイムテキスト情報の前記再生制御情報または前記リアルタイムテキスト情報符号化データにエラーが含まれている時、前記リアルタイムテキスト情報を表示しないようにするエラー処理ステップを含むものとしたから、前記リアルタイムテキスト情報符号化データにエラーが含まれていてもＤＶＤオーディオディスクの再生処理を継続させることができる効果がある。
【０１４７】
また、本発明（請求項４０）に係るＤＶＤオーディオ再生方法によれば、請求項２３記載のＤＶＤオーディオ再生方法において、前記入力処理ステップで分離された前記リアルタイムテキスト情報の前記再生制御情報または前記リアルタイムテキスト情報符号化データにエラーが含まれている時、リアルタイムテキスト情報にエラーがあったことを映像で表示させるエラー処理ステップを含むものとしたから、前記リアルタイムテキスト情報にエラーが含まれている旨をユーザーに知らせることができる効果がある。
【０１４８】
また、本発明（請求項４１）に係るＤＶＤオーディオ再生方法によれば、請求項２３記載のＤＶＤオーディオ再生方法において、前記入力処理ステップで分離された前記リアルタイムテキスト情報の前記表示時間情報にエラーが含まれている時、リアルタイムテキスト情報を表示しないようにするエラー処理ステップを含むものとしたから、ＤＶＤオーディオディスクの再生処理が不能になることを回避することができる効果がある。
【０１４９】
また、本発明（請求項４２）に係るＤＶＤオーディオ再生方法によれば、請求項２７記載のＤＶＤオーディオ再生方法において、前記リアルタイムテキスト情報表示設定ステップは、前記入力処理ステップで分離された前記リアルタイムテキスト情報の前記再生制御情報または前記リアルタイムテキスト情報符号化データにエラーが含まれている場合、映像出力においてリアルタイムテキスト情報にエラーがあったことを表示させる、または表示させない、の設定を外部からの入力に応じて行う外部入力ステップを含むものとしたから、ユーザーがエラー処理の方法を設定して決めることができる効果がある。
【図面の簡単な説明】
【図１】本発明の実施の形態１に係るＤＶＤオーディオ再生装置の構成図である。
【図２】ＲＴＩデータの表示例である。（ａ）はシングルバイト文字を用いた時の一例、（ｂ）はダブルバイト文字を用いた時の一例である。
【図３】（ａ）は音声、映像、ＲＴＩパック、パケットの多重符号化ストリーム、及びＲＴＩデータの説明図である。（ｂ）は（ａ）の詳細図である。
【図４】従来のＤＶＤオーディオ再生装置の構成図である。
【図５】本発明の実施の形態１に係るＤＶＤオーディオ再生装置においてＲＴＩバッファに格納されるデータの構成図である。
【図６】本発明の実施の形態１に係るＤＶＤオーディオ再生装置によるＲＴＩデータのデコード処理に関するフローチャートである。
【図７】本発明の実施の形態１に係るＤＶＤオーディオ再生装置によるＲＴＩデータの表示処理に関するフローチャートである。
【図８】本発明の実施の形態１に係るＤＶＤオーディオ再生装置によるＲＴＩデータのいくつかの表示例である。
【図９】本発明の実施の形態１に係るＤＶＤオーディオ再生装置によるＲＴＩデータ表示設定メニューの表示例である。
【図１０】本発明の実施の形態１に係るＤＶＤオーディオ再生装置によるＲＴＩデータ表示設定メニューの表示の有無に関する表示例である。
【図１１】本発明の実施の形態１に係るＤＶＤオーディオ再生装置によるＲＴＩデータ表示設定メニューの表示位置に関する表示例である。
【図１２】本発明の実施の形態１に係るＤＶＤオーディオ再生装置によるＲＴＩデータ表示設定メニューのテキストの大きさに関する表示例である。
【図１３】本発明の実施の形態１に係るＤＶＤオーディオ再生装置によるＲＴＩデータ表示設定メニューのテキストの色に関する表示例である。
【図１４】本発明の実施の形態１に係るＤＶＤオーディオ再生装置によるＲＴＩデータ表示設定メニューの縦書き・横書きに関する表示例である。
【図１５】本発明の実施の形態１に係るＤＶＤオーディオ再生装置によるＲＴＩデータ表示設定メニューの画面サイズに関する表示例である。
【図１６】本発明の実施の形態１に係るＤＶＤオーディオ再生装置によるＲＴＩデータ表示設定メニューのVisual Effect対応に関する表示例である。
【図１７】本発明の実施の形態１に係るＤＶＤオーディオ再生装置によるＲＴＩデータ表示設定メニューの、対応する文字コードがない場合のエラーメッセージの表示の有無に関する表示例である。
【図１８】本発明の実施の形態１に係るＤＶＤオーディオ再生装置によるＲＴＩデータ表示設定メニューのエラーメッセージの表示の有無に関する表示例である。
【符号の説明】
１００  ＤＶＤオーディオ再生装置
１０１  入力処理部
１０２  バッファメモリ
１０３  ＲＴＩバッファ
１０４  ビデオバッファ
１０５  オーディオバッファ
１０６  ＰＴＳ
１０７  再生制御情報
１０８  ＲＴＩデータ
１０９  外部文字コード表格納部
１１０  外部文字コード表記憶装置
１１１  ＲＴＩ復号部
１１２  ビデオ復号部
１１３  オーディオ復号部
１１４  ＲＴＩ出力バッファ
１１５  ビデオ出力バッファ
１１６  オーディオ出力バッファ
１１７  混合器
１１８  全体制御部
１１９  ＲＴＩデータ表示設定メモリ
１２０  外部入力部
【図１】
0004061567.tif 000002
【図２】
0004061567.tif 000003
【図３】
0004061567.tif 000004
【図４】
0004061567.tif 000005
【図５】
0004061567.tif 000006
【図６】
0004061567.tif 000007
【図７】
0004061567.tif 000008
【図８】
0004061567.tif 000009
【図９】
0004061567.tif 000010
【図１０】
0004061567.tif 000011
【図１１】
0004061567.tif 000012
【図１２】
0004061567.tif 000013
【図１３】
0004061567.tif 000014
【図１４】
0004061567.tif 000015
【図１５】
0004061567.tif 000016
【図１６】
0004061567.tif 000017
【図１７】
0004061567.tif 000018
【図１８】
0004061567.tif 000019